(57)【要約】  本技術は、ＴＬＶを伝送することができるようにする信号処理装置および信号処理方法、並びにプログラムに関する。復調処理を行う復調処理部と、デマックス処理を行う処理部と、復調処理部と処理部との間に配置された、データ信号線、クロック信号線、シンク信号線、バリッド信号線とを備え、データ信号線、クロック信号線、シンク信号線、バリッド信号線を用いて、復調処理部と処理部との間で、可変長パケットを伝送する。可変長パケットは、ＩＰ（Internet Protocol）パケットである。本技術は、ＴＬＶストリームを受信し、処理する受信機に適用できる。
2016199603.tif 000002
【特許請求の範囲】
【請求項１】
復調処理を行う復調処理部と、
デマックス処理を行う処理部と、
前記復調処理部と前記処理部との間に配置された、データ信号線、クロック信号線、シンク信号線、バリッド信号線と
を備え、
前記データ信号線、前記クロック信号線、前記シンク信号線、前記バリッド信号線を用いて、前記復調処理部と前記処理部との間で、可変長パケットを伝送する
信号処理装置。
【請求項２】
前記可変長パケットは、ＩＰ（Internet Protocol）パケットである
請求項１に記載の信号処理装置。
【請求項３】
前記可変長パケットは、ＴＬＶ（Type Length Value）パケットである
請求項１に記載の信号処理装置。
【請求項４】
前記復調処理部から、前記データ信号線を介して前記処理部に伝送される前記可変長パケットは、ＴＬＶパケットの少なくとも一部である
請求項１に記載の信号処理装置。
【請求項５】
前記可変長パケットは、ＴＬＶ、ＧＳＥ、ＧＳＥ−Ｌｉｔｅ、ＡＬＰ、またはＩＰのいずれかである
請求項１に記載の信号処理装置。
【請求項６】
前記データ信号線は、１乃至８本配線され、配線されている本数に応じたシリアル伝送またはパラレル伝送を行う
請求項１に記載の信号処理装置。
【請求項７】
前記可変長パケットの伝送は、１乃至８ビットの任意のビット幅で行われる
請求項１に記載の信号処理装置。
【請求項８】
前記クロック信号線は、クロック信号を伝送し、
前記シンク信号線は、パケットの先頭位置を表すシンク信号を伝送し、
前記バリッド信号線は、データの有効区間を表すバリッド信号を伝送する
請求項１に記載の信号処理装置。
【請求項９】
前記処理部は、前記復調処理部からのデータを、前記クロック信号の立ち上がり、または立ち下がりでラッチする
請求項８に記載の信号処理装置。
【請求項１０】
前記バリッド信号は、常時、データが有効であることを示す信号とされ、
前記クロック信号は、前記データ信号線のビット幅に応じた周波数に設定されている
請求項８に記載の信号処理装置。
【請求項１１】
前記バリッド信号は、常時、データが有効であることを示す信号とされ、
前記クロック信号は、バイトギャップが発生しているときに発振を停止される
請求項８に記載の信号処理装置。
【請求項１２】
前記クロック信号は、所定の周波数で常時発振され、
前記バリッド信号は、バイトギャップが発生しているときには落とされる
請求項８に記載の信号処理装置。
【請求項１３】
前記クロック信号は、パケット内ギャップまたはパケット間ギャップが発生しているときには、発振を停止される
請求項８に記載の信号処理装置。
【請求項１４】
前記可変長パケットは、ＴＬＶパケットであり、前記ＴＬＶパケットのパケットヘッダ領域に、パケットにエラーがあるか否かを表すエラー情報が含まれている
請求項１に記載の信号処理装置。
【請求項１５】
前記可変長パケットは、ＴＬＶパケットであり、前記ＴＬＶパケットに含まれるパケットの種別に関する情報が書き込まれている領域に、パケットにエラーがあるか否かを表すエラー情報が含まれている
請求項１に記載の信号処理装置。
【請求項１６】
前記エラー情報を伝送するエラー信号線をさらに備える
請求項１４に記載の信号処理装置。
【請求項１７】
前記エラー情報は、誤り訂正符号単位で伝送する、または可変長パケット単位で伝送する
請求項１４に記載の信号処理装置。
【請求項１８】
前記復調処理部は、ＩＳＤＢ−Ｃ規格の分割ＴＬＶパケットをＴＬＶパケットに変換し、前記処理部に伝送する
請求項１に記載の信号処理装置。
【請求項１９】
前記復調処理部は、Ｊ．３８２規格のＧＳＥパケットを、前記処理部に伝送する
請求項１に記載の信号処理装置。
【請求項２０】
前記復調処理部は、Ｊ．３８２規格のＧＳＥパケットをＴＬＶパケットに変換し、前記処理部に伝送する
請求項１に記載の信号処理装置。
【請求項２１】
前記復調処理部は、ＡＴＳＣ規格のＡＬＰパケットを、前記処理部に伝送する
請求項１に記載の信号処理装置。
【請求項２２】
前記ＡＬＰパケットのヘッダには、ペイロードに配置されるデータのタイプに関する情報として、２ビットのタイプ情報と、パケット内にエラーが発生しているか否かを表す１ビットのエラー情報が、少なくとも含まれる
請求項２１に記載の信号処理装置。
【請求項２３】
前記タイプ情報は、IPv4のIPパケット、圧縮されたIPパケット、LLSパケット、拡張パケット、およびMPEG2-TS方式のTSパケットの５種類のパケットのうち、４種類のパケットを識別する情報である
請求項２２に記載の信号処理装置。
【請求項２４】
パケット内にエラーがある場合、前記シンク信号線で伝送されるシンク信号と前記バリッド信号線で伝送されるバリッド信号は、同時に立たない
請求項２１に記載の信号処理装置。
【請求項２５】
復調処理を行う復調処理部と、
デマックス処理を行う処理部と、
前記復調処理部と前記処理部との間に配置された、データ信号線、クロック信号線、シンク信号線、バリッド信号線と
を備える信号処理装置の信号処理方法において、
前記データ信号線、前記クロック信号線、前記シンク信号線、前記バリッド信号線を用いて、前記復調処理部と前記処理部との間で、可変長パケットを伝送する
ステップを含む信号処理方法。
【請求項２６】
復調処理を行う復調処理部と、
デマックス処理を行う処理部と、
前記復調処理部と前記処理部との間に配置された、データ信号線、クロック信号線、シンク信号線、バリッド信号線と
を備える信号処理装置を制御するコンピュータに、
前記データ信号線、前記クロック信号線、前記シンク信号線、前記バリッド信号線を用いて、前記復調処理部と前記処理部との間で、可変長パケットを伝送する
ステップを含む処理を実行させるためのコンピュータ読み取り可能なプログラム。
【発明の詳細な説明】
【技術分野】
【０００１】
本技術は、信号処理装置および信号処理方法、並びにプログラムに関する。詳しくは、ＴＬＶパケットを処理する信号処理装置および信号処理方法、並びにプログラムに関する。
【背景技術】
【０００２】
例えば、デジタル放送では、画像（動画）等が、MPEG(Moving Picture Experts Group)等の所定のエンコード方式でエンコードされ、その結果得られるエンコードデータがペイロードに配置されたＴＳ(Transport Stream)パケットで構成されるＴＳを含む放送波が送信されている。また、そのような放送波を受信し、処理する受信機も普及している。【０００３】
一方で、ＴＳを用いた放送から、ＩＰ（Internet Protocol）を用いた放送に移行することも提案されている（例えば、非特許文献１参照）。
【先行技術文献】
【非特許文献】
【０００４】
【非特許文献１】ARIB STD-B60  1.0版、デジタル放送におけるMMTによるメディアトランスポート方式一般、平成26年7月31日策定
【発明の概要】
【発明が解決しようとする課題】
【０００５】
ＴＳパケットに対応した受信機においても、新たな放送、例えば、ＩＰを用いた放送波を処理できるようにすることが望まれている。【０００６】
本技術は、このような状況に鑑みてなされたものであり、ＩＰを用いた放送波も処理することができるようにするものである。
【課題を解決するための手段】
【０００７】
本技術の一側面の信号処理装置は、復調処理を行う復調処理部と、デマックス処理を行う処理部と、前記復調処理部と前記処理部との間に配置された、データ信号線、クロック信号線、シンク信号線、バリッド信号線とを備え、前記データ信号線、前記クロック信号線、前記シンク信号線、前記バリッド信号線を用いて、前記復調処理部と前記処理部との間で、可変長パケットを伝送する。【０００８】
前記可変長パケットは、ＩＰ（Internet Protocol）パケットであるようにすることができる。【０００９】
前記可変長パケットは、ＴＬＶ（Type Length Value）パケットであるようにすることができる。【００１０】
前記復調処理部から、前記データ信号線を介して前記処理部に伝送される前記可変長パケットは、ＴＬＶパケットの少なくとも一部であるようにすることができる。【００１１】
前記可変長パケットは、ＴＬＶ、ＧＳＥ、ＧＳＥ−Ｌｉｔｅ、またはＩＰのいずれかであるようにすることができる。【００１２】
前記データ信号線は、１乃至８本配線され、配線されている本数に応じたシリアル伝送またはパラレル伝送を行うようにすることができる。【００１３】
前記可変長パケットの伝送は、１乃至８ビットの任意のビット幅で行われるようにすることができる。【００１４】
前記クロック信号線は、クロック信号を伝送し、前記シンク信号線は、パケットの先頭位置を表すシンク信号を伝送し、前記バリッド信号線は、データの有効区間を表すバリッド信号を伝送するようにすることができる。【００１５】
前記処理部は、前記復調処理部からのデータを、前記クロック信号の立ち上がり、または立ち下がりでラッチするようにすることができる。【００１６】
前記バリッド信号は、常時、データが有効であることを示す信号とされ、前記クロック信号は、前記データ信号線のビット幅に応じた周波数に設定されているようにすることができる。【００１７】
前記バリッド信号は、常時、データが有効であることを示す信号とされ、前記クロック信号は、バイトギャップが発生しているときに発振を停止されるようにすることができる。【００１８】
前記クロック信号は、所定の周波数で常時発振され、前記バリッド信号は、バイトギャップが発生しているときには落とされるようにすることができる。【００１９】
前記クロック信号は、パケット内ギャップまたはパケット間ギャップが発生しているときには、発振を停止されるようにすることができる。【００２０】
前記可変長パケットは、ＴＬＶパケットであり、前記ＴＬＶパケットのパケットヘッダ領域に、パケットにエラーがあるか否かを表すエラー情報が含まれているようにすることができる。【００２１】
前記可変長パケットは、ＴＬＶパケットであり、前記ＴＬＶパケットに含まれるパケットの種別に関する情報が書き込まれている領域に、パケットにエラーがあるか否かを表すエラー情報が含まれているようにすることができる。【００２２】
前記エラー情報を伝送するエラー信号線をさらに備えるようにすることができる。【００２３】
前記エラー情報は、誤り訂正符号単位で伝送する、または可変長パケット単位で伝送するようにすることができる。【００２４】
前記復調処理部は、ＩＳＤＢ−Ｃ規格の分割ＴＬＶパケットをＴＬＶパケットに変換し、前記処理部に伝送するようにすることができる。【００２５】
前記復調処理部は、Ｊ．３８２規格のＧＳＥパケットを、前記処理部に伝送するようにすることができる。【００２６】
前記復調処理部は、Ｊ．３８２規格のＧＳＥパケットをＴＬＶパケットに変換し、前記処理部に伝送するようにすることができる。【００２７】
前記復調処理部は、ＡＴＳＣ規格のＡＬＰパケットを、前記処理部に伝送するようにすることができる。【００２８】
前記ＡＬＰパケットのヘッダには、ペイロードに配置されるデータのタイプに関する情報として、２ビットのタイプ情報と、パケット内にエラーが発生しているか否かを表す１ビットのエラー情報が、少なくとも含まれるようにすることができる。【００２９】
前記タイプ情報は、IPv4のIPパケット、圧縮されたIPパケット、LLSパケット、拡張パケット、およびMPEG2-TS方式のTSパケットの５種類のパケットのうち、４種類のパケットを識別する情報であるようにすることができる。【００３０】
パケット内にエラーがある場合、前記シンク信号線で伝送されるシンク信号と前記バリッド信号線で伝送されるバリッド信号は、同時に立たないようにすることができる。【００３１】
本技術の一側面の信号処理方法は、復調処理を行う復調処理部と、デマックス処理を行う処理部と、前記復調処理部と前記処理部との間に配置された、データ信号線、クロック信号線、シンク信号線、バリッド信号線とを備える信号処理装置の信号処理方法において、前記データ信号線、前記クロック信号線、前記シンク信号線、前記バリッド信号線を用いて、前記復調処理部と前記処理部との間で、可変長パケットを伝送するステップを含む。【００３２】
本技術の一側面のプログラムは、復調処理を行う復調処理部と、デマックス処理を行う処理部と、前記復調処理部と前記処理部との間に配置された、データ信号線、クロック信号線、シンク信号線、バリッド信号線とを備える信号処理装置を制御するコンピュータに、前記データ信号線、前記クロック信号線、前記シンク信号線、前記バリッド信号線を用いて、前記復調処理部と前記処理部との間で、可変長パケットを伝送するステップを含む処理を実行させる。【００３３】
本技術の一側面の信号処理装置および信号処理方法、並びにプログラムにおいては、復調処理を行う復調処理部と、デマックス処理を行う処理部が備えられ、復調処理部と処理部との間に配置された、データ信号線、クロック信号線、シンク信号線、バリッド信号線とが備えられている。データ信号線、クロック信号線、シンク信号線、バリッド信号線が用いられて、復調処理部と処理部との間で、可変長パケットが伝送される。
【発明の効果】
【００３４】
本技術の一側面によれば、ＩＰを用いた放送波も処理することができる。【００３５】
なお、ここに記載された効果は必ずしも限定されるものではなく、本開示中に記載されたいずれかの効果であってもよい。
【図面の簡単な説明】
【００３６】
【図１】放送システムの構成を説明するための図である。
【図２】本技術を適用した受信機の一実施の形態の構成を示す図である。
【図３】１フレームの構成について説明するための図である。
【図４】ＴＬＶパケットの構成を示す図である。
【図５】ＩＰパケットの構成を示す図である。
【図６】信号線について説明するための図である。
【図７】信号線で授受される信号について説明するための図である。
【図８】伝送されるデータについて説明するための図である。
【図９】８ビットパラレル伝送時のクロック信号について説明するための図である。
【図１０】４ビットパラレル伝送時のクロック信号について説明するための図である。
【図１１】２ビットパラレル伝送時のクロック信号について説明するための図である。
【図１２】１ビットシリアル伝送時のクロック信号について説明するための図である。
【図１３】８ビットパラレル伝送時の他のクロック信号について説明するための図である。
【図１４】４ビットパラレル伝送時の他のクロック信号について説明するための図である。
【図１５】２ビットパラレル伝送時の他のクロック信号について説明するための図である。
【図１６】１ビットシリアル伝送時の他のクロック信号について説明するための図である。
【図１７】８ビットパラレル伝送時の他のクロック信号について説明するための図である。
【図１８】４ビットパラレル伝送時の他のクロック信号について説明するための図である。
【図１９】２ビットパラレル伝送時の他のクロック信号について説明するための図である。
【図２０】１ビットシリアル伝送時の他のクロック信号について説明するための図である。
【図２１】８ビットパラレル伝送時のクロック信号の停止について説明するための図である。
【図２２】８ビットパラレル伝送時のクロック信号の停止について説明するための図である。
【図２３】１ビットシリアル伝送時のクロック信号の停止について説明するための図である。
【図２４】１ビットシリアル伝送時のクロック信号の停止について説明するための図である。
【図２５】１ビットシリアル伝送時のクロック信号の停止について説明するための図である。
【図２６】１ビットシリアル伝送時のクロック信号の停止について説明するための図である。
【図２７】ＴＳパケットの構成について説明するための図である。
【図２８】エラー情報の伝送について説明するための図である。
【図２９】第１の出力パターンについて説明するための図である。
【図３０】第２の出力パターンについて説明するための図である。
【図３１】第３の出力パターンについて説明するための図である。
【図３２】第４の出力パターンについて説明するための図である。
【図３３】第５の出力パターンについて説明するための図である。
【図３４】ＮＴＰの間隔が保たれることについて説明するための図である。
【図３５】デジタルケーブルテレビ放送システムの構成について説明するための図である。
【図３６】ＴＬＶパケットから分割ＴＬＶパケットへの変換について説明するための図である。
【図３７】ＴＬＶパケットからＧＳＥパケットへの変換について説明するための図である。
【図３８】ＴＬＶパケットからＧＳＥパケットへの変換について説明するための図である。
【図３９】ＴＬＶパケットヘッダからＧＳＥパケットヘッダへの変換について説明するための図である。
【図４０】変換テーブルについて説明するための図である。
【図４１】ＡＬＰパケットの構造について説明するための図である。
【図４２】タイプ情報について説明するための図である。
【図４３】本技術を適用したタイプ情報について説明するための図である。
【図４４】本技術を適用したＡＬＰパケットの構造について説明するための図である。
【図４５】エラーが発生していないときの基本信号を示す図である。
【図４６】エラーが発生しているときの基本信号を示す図である。
【図４７】記録媒体について説明するための図である。
【発明を実施するための形態】
【００３７】
以下に、本技術を実施するための形態（以下、実施の形態という）について説明する。なお、説明は、以下の順序で行う。
１．受信機の構成
２．ＴＬＶパケットについて
３．信号線について
４．クロック信号は変化し、バリッド信号は変化しない場合
５．クロック信号は停止され、バリッド信号は変化しない場合
６．クロック信号は常時発振、バリッド信号は適宜落とす場合
７．８ビットパラレル伝送時のパケット内、パケット間のギャップ時の信号について
８．１ビットシリアル伝送時のパケット内、パケット間のギャップ時の信号について
９．エラー信号の伝送について
１０．ＮＴＰの処理について
１１．データの第１の出力パターンについて
１２．データの第２の出力パターンについて
１３．データの第３の出力パターンについて
１４．データの第４の出力パターンについて
１５．データの第５の出力パターンについて
１６．ＮＴＰが一定間隔で出力されることについて
１７．ケーブル再送信への適用
１８．ＡＬＰへの適用
１９．本技術を適用したコンピュータの説明
【００３８】
以下に説明する本技術は、放送システムを構成する受信機に適用できるため、ここでは、放送システムにおける受信機を例に挙げて説明を続ける。
【００３９】
図１は、放送システムの構成を示す図である。図１に示した放送システムは、送信機１０、受信機１１、ネットワーク１２から構成されている。送信機１０は、放送局で作成されたコンテンツを送信する側の装置である。送信機１０から送信された放送波は、受信機１１に受信される。
【００４０】
送信機１０からネットワーク１２を介して受信機１１に、放送波が、送信されることも可能な構成とされている。また、ネットワーク１２を介した送信は、放送されているコンテンツに係わる情報の送信とすることもできる。
【００４１】
送信機１０からの放送波は、MPEG Media Transport（MMT）・Type Length Value（ＴＬＶ）と称される方式で送信され、受信機１１に受信される場合を例に挙げて説明する。MMT・ＴＬＶ方式は、ＩＰ（Internet Protocol）パケットの中に、映像信号や音声信号、制御信号を格納して伝送する方式である。これにより、伝送路としての放送と通信の区別がなくなることになる。
【００４２】
この方式によれば、放送用電波と通信路を同時に利用することも可能となり、放送用電波では不特定多数の視聴者向けのメイン・カメラの映像、通信路（ネットワーク１２経由）では、視聴者個人が選んだサブ・カメラの映像をそれぞれ伝送する、というような放送形態を実施することも可能となる。
【００４３】
＜受信機の構成＞
本技術は、上記したようなMMT・ＴＬＶ方式による放送波を受信し、処理する受信機１１に適用できるため、受信機１１の構成について説明を加える。図２は、本技術を適用した受信機１１の一実施の形態の構成を示す図である。
【００４４】
受信機１１を含む受信システムは、アンテナ３１、受信機１１、およびディスプレイ３２を含む構成とされている。受信機１１は、チューナ４１、復調処理部４２、処理部４３を含む構成とされている。復調処理部４２は、復調部５１と誤り訂正部５２を含む構成とされている。処理部４３は、多重分離部５３とデコーダ５４を含む構成とされている。
【００４５】
アンテナ３１は、例えば、送信機１０から送信されてきたＴＬＶ方式のデジタル放送波を受信し、その結果得られる受信信号を、受信機１１に供給する。受信機１１は、アンテナ３１からの受信信号から、ＴＬＶを復元して処理し、映像や音声を取り出し、ディスプレイ３２に出力する。
【００４６】
誤り訂正部５２は、復調部５１からの復調信号の誤り訂正を行い、その結果得られるＴＬＶ等の信号を、処理部４３に供給する。処理部４３は、例えばＳＯＣ（System-on-a-chip）で構成することができる。処理部４３は、デマックス処理、例えば、動画コンテンツを、映像部分、音声部分、字幕部分などに分ける処理を行う。
【００４７】
処理部４３には、復調部５１が出力する出力信号であるシンク信号、バリッド信号、データ信号、および、クロック信号が供給される。
【００４８】
処理部４３の多重分離部５３は、データ信号中に含まれる例えば、映像データや音声データを分離し、デコーダ５４は、映像データを映像信号にデコードしたり、音声データを音声信号にデコードしたりすることで、映像や音声の信号を生成し、ディスプレイ３２に出力する。
【００４９】
＜ＴＬＶパケットについて＞
次に図３を参照し、送信機１０から送信され、受信機１１で受信され、処理される放送波について説明を加える。
【００５０】
送信機１０から送信される放送波は、図３に示すような１フレーム単位とされている。１フレームには、複数のＴＬＶストリームが含まれている。図３に示した例では、ＴＬＶストリーム＃１、ＴＬＶストリーム＃２、およびＴＬＶストリーム＃３が含まれている。ＴＬＶストリーム＃１、ＴＬＶストリーム＃２、およびＴＬＶストリーム＃３は、例えば、放送局Ａのコンテンツ、放送局Ｂのコンテンツ、放送局Ｃのコンテンツのストリームである。
【００５１】
１フレーム内が、同一の放送局のストリームだけで構成されていても良いし、１フレーム内に異なる放送局のストリームが含まれていても良い。また、図３では、３本のストリームが１フレームに含まれる例を挙げて説明したが、１フレームに含まれるストリームの本数は、３本に限定を示す記載ではない。なお、１フレームに含まれるストリームの上限は、例えば、ARIB STD-B44で、１６と規定されているため、この規定に基づく場合には16本以内に収められている。
【００５２】
また１フレームは、１２０個のスロットから構成されている。図３に示した例では、スロット＃１乃至＃４０は、ＴＬＶストリーム＃１に含まれ、スロット＃４１乃至＃８０は、ＴＬＶストリーム＃２に含まれ、スロット＃８１乃至＃１２０は、ＴＬＶストリーム＃３に含まれている例を示した。
【００５３】
ここでは１フレームに１２０個のスロットが含まれる場合を例に挙げて説明しているが、１２０個のスロットに限定を示す記載ではない。なお、１フレームに含まれるスロットの上限は、例えば、ARIB STD-B44で、１２０スロットで固定と規定されているため、この規定に基づく場合には120個のスロットで固定される。
【００５４】
１スロットには、１または複数のＴＬＶパケットが含まれる。ＴＬＶパケットは、後述するように可変長であるため、１スロット内に含まれるパケット数は、スロット毎に異なっていても良い。
【００５５】
スロットのなかには（ＴＬＶパケットのなかには）、ＮＴＰ（Network Time Protocol）を含むパケットがある。ＮＴＰは、時刻情報であり、ＴＬＶストリームＩＤ毎に割り当てられている。ＮＴＰは、受信機１１側で、受信したＮＴＰ形式の時刻情報に基づくクロックを再生、保持することができるように用いられる。
【００５６】
ＮＴＰは、同一のＴＬＶストリームＩＤを有するストリーム中の１フレーム内に１カ所に配置されている。図３中、ＮＴＰは、三角形で示すマークのところに配置されている。すなわち図３に示した例では、ＴＬＶストリーム内の先頭のＴＬＶパケットにＮＴＰが含まれている例を示している。
【００５７】
１フレーム内で１放送局のスロットが分散して存在しているような場合であっても、１フレーム内のＴＬＶストリーム内の所定の一カ所に、ＮＴＰは配置されている。
【００５８】
図４は、ＴＬＶストリームを構成するＴＬＶパケットの構成を示す図である。
【００５９】
ＴＬＶパケットは、図４上部に示すように、２ビットおよび６ビットで構成されるパケットヘッダの領域、８ビットのパケット種別の領域、１６ビットのデータ長の領域、および可変長のデータの領域から構成される。
【００６０】
パケット種別の領域は、ＴＬＶに格納するパケットの種別を識別するために使用する領域として割り当てられており、その割り当ては、図４下部に示すようになっている。
【００６１】
データ長の領域は、これより後ろに続くデータビット数が書き込まれる領域とされている。データの領域（データ領域）は、８×Ｎビットであり、可変長の領域とされ、データが書き込まれる領域とされている。
【００６２】
例えば、パケット種別の領域に“０ｘ０１”という値が記載されている場合、データ領域のデータ形式は、ＩＰｖ４パケットである。データ領域のデータ形式が、ＩＰｖ４パケットである場合、データ領域内のＩＰパケットは、図５の２段目に示すような構造になっている。
【００６３】
図５の２段目を参照するに、データ領域内のＩＰパケットは、ＩＰｖ４ヘッダ部、ＵＤＰヘッダ部、およびデータ部から構成される。
【００６４】
例えば、パケット種別の領域に“０ｘ０２”という値が記載されている場合、データ領域のデータ形式は、ＩＰｖ６パケットである。データ領域のデータ形式が、ＩＰｖ６パケットである場合、データ領域内のＩＰパケットは、図５の３段目に示すような構造になっている。
【００６５】
図５の３段目を参照するに、データ領域内のＩＰパケットは、ＩＰｖ６ヘッダ部、ＵＤＰヘッダ部、およびデータ部から構成される。
【００６６】
例えば、パケット種別の領域に“０ｘ０３”という値が記載されている場合、データ領域のデータ形式は、ヘッダが圧縮されたＩＰパケットである。データ領域のデータ形式が、ヘッダが圧縮されたＩＰパケットである場合、データ領域内のＩＰパケットは、図５の４段目に示すような構造になっている。
【００６７】
図５の４段目を参照するに、データ領域内のＩＰパケットは、ヘッダ部とデータ部から構成される。
【００６８】
このように、ＴＬＶパケットには、ＩＰパケットが含まれる。
【００６９】
＜信号線について＞
ところで、従来の受信機１１として、例えば、ＴＳ(Transport Stream)パケットを処理する機器があった。そのような機器においても、ＴＬＶパケットが処理できるようにするために、また、新たな機器としてＴＬＶパケットを処理するために、以下に説明する処理が行われる。
【００７０】
図６は、復調処理部４２と処理部４３との間に設けられている信号線について説明するための図である。
【００７１】
復調処理部４２は、復調処理を扱うＬＳＩとすることができる。また処理部４３は、デマックス処理を扱うＬＳＩとすることができる。復調処理部４２と処理部４３は、１つのＬＳＩで構成することもできるし、異なるＬＳＩとして構成することもできる。異なるＬＳＩで構成される場合、復調処理部４２は、後段の処理部４３が処理することができる（処理部４３が要求する条件を満たす）ように、データを出力する必要がある。
【００７２】
本技術によれば、復調処理部４２は、処理部４３が要求する条件を満たす形で復調したデータを供給することができる。
【００７３】
以下の説明では、復調処理部４２と処理部４３は、異なるＬＳＩとして構成されている場合を例に挙げて説明する。図６上図を参照するに、復調処理部４２と処理部４３との間には、４本の信号線（シリアル伝送の場合）が配置されている。
【００７４】
４本の信号線のうち、１本は、シンク（SYNC）信号を伝送する１ビットの信号線とされ、１本は、バリッド（VALID）信号を伝送する１ビット信号線とされ、１本は、クロック（CLK）信号を伝送する１ビット信号線とされ、１本は、データ（DATA）信号を伝送する１ビットの信号線とされている。データ信号線は、１ビットから８ビットに対応し、１乃至８本の信号線で構成される可能性がある。
【００７５】
例えば、シリアル伝送の場合、データ信号線は１本で構成され、８ビットのパラレル伝送の場合、データ信号線は、８本で構成される。パラレル伝送は、８ビットに限らず、何ビットでも良く、そのビット数に合った信号線が配線される。以下に説明するように、本技術によれば、データ信号線の本数（クロック信号の１周期で伝送するビット数）に応じて、シンク信号、バリッド信号、クロック信号をそれぞれ制御することができる。
【００７６】
また、図６下図に示すように、エラー（ERR）の発生を示すエラー情報を伝送する１ビットの信号線をさらに備える構成としても良い。ここで示した信号線は、一例であり、他の信号を伝送する信号線が、復調処理部４２と処理部４３との間に設けられていても勿論良い。
【００７７】
図７に、クロック信号、シンク信号、バリッド信号、およびデータ信号の基本的な出力波形を示す。なおここで基本的な出力波形としたのは、各信号の役割について説明するためであり、これらの信号の波形は、後述するように、処理部４３が要求する条件を満たすように、また消費電力を低減させるなどのために、適切に変更される。
【００７８】
クロック信号は、ＴＬＶを構成するデータの出力タイミングを表す信号である。クロック信号は、ＬレベルとＨレベルとを交互に繰り返すパルス状の信号である。
【００７９】
シンク信号は、ＴＬＶに含まれるパケットの先頭のタイミングを表す。シンク信号は、例えば、パケットの先頭のタイミングだけ、一時的に、Ｌ(Low)レベルからＨ(High)レベルになる。
【００８０】
バリッド信号は、ＴＬＶにおいて、パケットが存在する区間（有効区間）を表す。バリッド信号は、例えば、有効区間で、Ｈレベルになり、有効以外の区間（無効区間）で、Ｌレベルになる。
【００８１】
データ信号は、ＴＬＶの信号であり、ＴＬＶパケットの全てまたは一部が含まれる。パケットは、データ長（パケット長）が、例えば、４乃至６５５３５バイトのパケットである。
【００８２】
図示していないが、エラー信号線が設けられている場合、エラー信号も伝送される。エラー信号は、エラーが発生しているときにＨレベルになり、エラーが発生していないときにＬレベルになる。
【００８３】
データ信号として、復調処理部４２から処理部４３に供給されるのは、ＴＬＶパケットの全てまたは一部である。図８を参照し、復調処理部４２から処理部４３に供給されるデータについて説明する。
【００８４】
図８は、図４、図５に示したＴＬＶパケットの構成と同様の図であるが、復調処理部４２から処理部４３に供給されるデータの部分を太線で囲った点が異なる。太線で囲まれたデータを伝送データと記述する。
【００８５】
伝送データＡは、ＴＬＶパケットの全てのデータである。この場合、復調処理部４２から処理部４３には、ＴＬＶパケットのパケットヘッダからデータの領域まで、ＴＬＶパケット内の全てのデータが供給される。
【００８６】
伝送データＢは、ＴＬＶパケットのパケットヘッダを除く全てのデータである。この場合、復調処理部４２から処理部４３には、ＴＬＶパケットのパケット種別の領域内のデータ、データ長の領域内のデータおよびデータ領域内のデータが供給される。
【００８７】
伝送データＣは、ＴＬＶパケット内のデータ領域内のデータである。この場合、復調処理部４２から処理部４３には、ＴＬＶパケットのデータ領域内のデータが供給される。
【００８８】
伝送データＤは、ＴＬＶパケット内のデータ領域内のデータが、ＩＰｖ４パケットであり、そのＩＰｖ４パケット内のＩＰｖ４ヘッダ部以外のデータである。この場合、復調処理部４２から処理部４３には、ＩＰｖ４パケット内のＵＤＰヘッダ部内のデータとデータ部内のデータが供給される。
【００８９】
伝送データＥは、ＴＬＶパケット内のデータ領域内のデータが、ＩＰｖ４パケットであり、そのＩＰｖ４パケット内のデータ部（ＵＤＰパケットのペイロード）である。この場合、復調処理部４２から処理部４３には、ＩＰｖ４パケットのＵＤＰパケットのペイロードが供給される。
【００９０】
伝送データＦは、ＴＬＶパケット内のデータ領域内のデータが、ＩＰｖ６パケットであり、そのＩＰｖ６パケット内のＩＰｖ６ヘッダ部以外のデータである。この場合、復調処理部４２から処理部４３には、ＩＰｖ６パケット内のＵＤＰヘッダ部内のデータとデータ部内のデータが供給される。
【００９１】
伝送データＧは、ＴＬＶパケット内のデータ領域内のデータが、ＩＰｖ６パケットであり、そのＩＰｖ６パケット内のデータ部（ＵＤＰパケットのペイロード）である。この場合、復調処理部４２から処理部４３には、ＩＰｖ６パケットのＵＤＰパケットのペイロードが供給される。
【００９２】
伝送データＨは、ＴＬＶパケット内のデータ領域内のデータが、圧縮ＩＰパケットであり、その圧縮ＩＰパケット内のデータ部（ペイロード）である。この場合、復調処理部４２から処理部４３には、圧縮ＩＰパケットのペイロードが供給される。
【００９３】
例えば、ＴＬＶパケット全体の供給を要求する処理部４３の場合、復調処理部４２からは、伝送データＡが伝送される。また例えば、ＴＬＶパケットの一部の供給を要求する処理部４３の場合、要求されているデータに応じ、復調処理部４２からは、伝送データＢ乃至Ｈのいずれかのデータが伝送される。
【００９４】
このように、復調処理部４２から処理部４３には、ＴＬＶパケットの全てまたは一部が供給される。ＴＬＶパケットは、可変長パケットであり、上記したようにＩＰパケットを含むパケットである。そのようなＴＬＶパケットが、復調処理部４２から処理部４３との間で授受される。
【００９５】
また、その供給は、図７を参照して説明したクロック信号、シンク信号、およびバリッド信号に基づいたタイミングで行われる。ここで、これらの信号と、データの供給のタイミングについて、説明を加える。
【００９６】
上記したように、データ信号線は、１乃至８本（１乃至８ビット）で構成される可能性がある。以下の説明では、データ信号線が１本であり、１ビットのシリアル伝送である場合、データ信号線が２本であり、２ビットのパラレル伝送である場合、データ信号線が４本であり、４ビットのパラレル伝送である場合、およびデータ信号線が８本であり、８ビットのパラレル伝送である場合を例に挙げて説明する。
【００９７】
なお、これら以外の例えば、３ビットのパラレル伝送などに対しても、本技術を適用でき、ここで例に挙げた場合に限定されることを示す記載ではない。
【００９８】
＜クロック信号は変化し、バリッド信号は変化しない場合＞
まず図９乃至図１２を参照し、クロック信号は変化し、バリッド信号は変化しないデータ伝送について説明する。なお、図９乃至図１２には、シンク信号を図示していないが、図７を参照して説明した場合と同じく、ＴＬＶに含まれるパケットの先頭のタイミングを表す信号として、復調処理部４２から処理部４３に供給されている。
【００９９】
図９は、８ビットパラレル伝送のときのクロック信号、データ信号、およびバリッド信号の波形を示す図である。８ビットパラレル伝送であるため、復調処理部４２と処理部４３との間には、８本のデータ信号線が配置され、図９に示すように、８ビットのデータが、１周期のクロック信号で伝送される。バリッド信号は、常にＨレベル、すなわち、この場合、パケットが存在する有効区間であることを示す信号とされている。
【０１００】
処理部４３は、クロック信号の立ち上がりで、データ信号のデータを受け取る（ラッチする）ようにすることができる。なおここでは、クロック信号の立ち上がりで、データをラッチするとして説明を続けるが、クロック信号の立ち下がりで、データをラッチするように構成することも可能である。
【０１０１】
図９に示したクロック信号は、ライジングエッジモード（Rising edge mode）である場合を示したが、フォーリングエッジモード（Falling edge mode）でも良い。以下の説明、および他の信号においても同様であり、特に断りのない場合、ライジングエッジモードの場合を例に挙げて説明するが、フォーリングエッジモードの場合であっても、ライジングエッジモードの場合と同様に本技術を適用できる。
【０１０２】
図１０は、４ビットパラレル伝送のときのクロック信号、データ信号、およびバリッド信号の波形を示す図である。４ビットパラレル伝送であるため、復調処理部４２と処理部４３との間には、４本のデータ信号線が配置され、図１０に示すように、４ビットのデータが、１周期のクロック信号で伝送され、２周期のクロック信号で、８ビットのデータが伝送される。バリッド信号は、常にＨレベルの信号とされている。
【０１０３】
図１１は、２ビットパラレル伝送のときのクロック信号、データ信号、およびバリッド信号の波形を示す図である。２ビットパラレル伝送であるため、復調処理部４２と処理部４３との間には、２本のデータ信号線が配置され、図１１に示すように、２ビットのデータが、１周期のクロック信号で伝送され、４周期のクロック信号で、８ビットのデータが伝送される。バリッド信号は、常にＨレベルの信号とされている。
【０１０４】
図１２は、１ビットシリアル伝送のときのクロック信号、データ信号、およびバリッド信号の波形を示す図である。１ビットシリアル伝送であるため、復調処理部４２と処理部４３との間には、１本のデータ信号線が配置され、図１２に示すように、１ビットのデータが、１周期のクロック信号で伝送され、８周期のクロック信号で、８ビットのデータが伝送される。バリッド信号は、常にＨレベルの信号とされている。
【０１０５】
このように、バリッド信号は、有効区間を表すＨレベルが維持され、クロック信号は、一度に伝送されるビット数に応じて、その周波数が異なるようにして、データが伝送される。
【０１０６】
例えば、復調処理部４２と処理部４３と間にデータ信号線が、８本ある場合、図９に示したようなクロック信号とバリッド信号に基づき、データが伝送される。また例えば、復調処理部４２と処理部４３と間にデータ信号線が、１本ある場合、図１２に示したようなクロック信号とバリッド信号に基づき、データが伝送される。
【０１０７】
図９乃至図１２を参照して説明したクロック信号の場合、クロック信号の周波数は、１周期で伝送するビット数により可変である。例えば、処理部４３が処理できるクロック信号の周波数に応じて、復調処理部４２は、図９乃至図１２を参照して説明したいずれかの制御を行うことで、ＴＬＶの授受を行える。
【０１０８】
図９に示した８ビットパラレル伝送時のクロック信号の周波数と、図１２に示した１ビットシリアル伝送時のクロック信号の周波数とを比較するに、明らかに、図１２に示した１ビットシリアル伝送時のクロック信号の周波数の方が、図９に示した８ビットパラレル伝送時のクロック信号の周波数よりも高い。
【０１０９】
クロック信号の１周期で伝送するビット数が少ない、換言すれば信号線が少ない、さらに換言すれば、処理部４３を構成するＬＳＩのピンのうち、データ伝送に用いられるピン数が少なければ、クロック信号の周波数は高くなる。一方で放送は、さらなる高解像度になる傾向にあるが、高解像度になれば、復調処理部４２から処理部４３に伝送すべきデータのデータ量も多くなる。
【０１１０】
より多くのデータを伝送するためには、クロック信号の周波数を高くする必要があるが、クロック信号を高くするのには限界があり、また、消費電力を抑制するといった観点からも、クロック信号の周波数を高くするだけの対応では限界がある。
【０１１１】
例えば、クロック周波数を高くせずに、多くのデータを伝送するには、ＬＳＩのピン数を増やし、例えば、８ビットパラレル伝送を行えば良い。しかしながら、ＬＳＩのピン数を増加させないことも望まれている。
【０１１２】
このようなことを考慮すると、例えば、図１０に示した４ビットパラレル伝送を行うために、処理部４３のデータ伝送に係わるピン数を４本とし、周波数が比較的低くても良いようにする。本技術によれば、このような４ピンなど、ピン数に適したクロック信号を用いたデータ伝送を行うことが可能となり、その伝送は、ＴＬＶの伝送にも対応できる。
【０１１３】
＜クロック信号は停止され、バリッド信号は変化しない場合＞
次に、図１３乃至図１６を参照し、伝送するビット数（信号線の本数）にかかわらずクロック信号は同じ周波数であるが、データの無効区間は停止し、バリッド信号は変化しないデータ伝送について説明する。
【０１１４】
図１３は、８ビットパラレル伝送のときのクロック信号、データ信号、およびバリッド信号の波形を示す図である。８ビットパラレル伝送であるため、図１３に示すように、８ビットのデータが、１周期のクロック信号で伝送される。
【０１１５】
処理部４３は、クロック信号の立ち上がりで、データ信号のデータをラッチするため、１周期経過後から次のデータの伝送タイミングになるまで（バイトギャップの間）、クロック信号は停止される（落とされる）。バリッド信号は、常にＨレベル、すなわち、この場合、パケットが存在する有効区間であることを示す信号とされている。
【０１１６】
図１４は、４ビットパラレル伝送のときのクロック信号、データ信号、およびバリッド信号の波形を示す図である。４ビットパラレル伝送であるため、図１４に示すように、４ビットのデータが、１周期のクロック信号で伝送され、２周期のクロック信号で、８ビットのデータが伝送される。バリッド信号は、常にＨレベルの信号とされている。
【０１１７】
２周期で８ビットのデータが伝送され、処理部４３も、その２周期で８ビットのデータをラッチできるため、２周期経過後から次のデータの伝送タイミングになるまで（バイトギャップの間）、クロック信号は停止される（落とされる）。
【０１１８】
図１５は、２ビットパラレル伝送のときのクロック信号、データ信号、およびバリッド信号の波形を示す図である。２ビットパラレル伝送であるため、図１５に示すように、２ビットのデータが、１周期のクロック信号で伝送され、４周期のクロック信号で、８ビットのデータが伝送される。バリッド信号は、常にＨレベルの信号とされている。
【０１１９】
４周期で８ビットのデータが伝送され、処理部４３も、その４周期で８ビットのデータをラッチできるため、４周期経過後から次のデータの伝送タイミングになるまで（バイトギャップの間）、クロック信号は停止される（落とされる）。
【０１２０】
図１６は、１ビットシリアル伝送のときのクロック信号、データ信号、およびバリッド信号の波形を示す図である。１ビットシリアル伝送であるため、図１６に示すように、１ビットのデータが、１周期のクロック信号で伝送され、８周期のクロック信号で、８ビットのデータが伝送される。バリッド信号は、常にＨレベルの信号とされている。
【０１２１】
８周期で８ビットのデータが伝送され、処理部４３も、その８周期で８ビットのデータをラッチできるため、８周期経過後から次のデータの伝送タイミングになるまで（バイトギャップの間）、クロック信号は停止される（落とされる）。
【０１２２】
このように、バリッド信号は、有効区間を表すＨレベルが維持され、クロック信号は、一度に伝送されるビット数によらず、その周波数が同一とされ、伝送後から次の伝送タイミングの間は、停止された状態とされる。
【０１２３】
例えば、復調処理部４２と処理部４３と間にデータ信号線が、８本ある場合、図１３に示したようなクロック信号とバリッド信号に基づき、データが伝送される。また例えば、復調処理部４２と処理部４３と間にデータ信号線が、１本ある場合、図１６に示したようなクロック信号とバリッド信号に基づき、データが伝送される。
【０１２４】
図１３乃至図１６を参照して説明したクロック信号の場合、クロック信号の周波数は、１周期で伝送するビット数によらず一定である。例えば、処理部４３が処理できるクロック信号に設定し、その設定されている周波数で、復調処理部４２は、図１３乃至図１６を参照して説明したいずれかの制御を行うことで、ＴＬＶの授受を行える。
【０１２５】
また、バイトギャップの間、クロック信号を停止させることで、クロック周波数にかかる電力を低減させることが可能となり、受信機１１の低電力化を進めることが可能となる。
【０１２６】
＜クロック信号は常時発振、バリッド信号は適宜落とす場合＞
次に、図１７乃至図２０を参照し、伝送するビット数（信号線の本数）にかかわらずクロック信号は同じ周波数であり、かつ常に発振し、バリッド信号はデータ無効区間では落とされるデータ伝送について説明する。
【０１２７】
図１７は、８ビットパラレル伝送のときのクロック信号、データ信号、およびバリッド信号の波形を示す図である。８ビットパラレル伝送であるため、図１７に示すように、８ビットのデータが、１周期のクロック信号で伝送され、その１周期のときだけ、バリッド信号は有効区間であることを示すＨレベルの信号とされる。
【０１２８】
クロック信号の１周期で８ビットのデータの伝送が完了するため、１周期経過後から次のデータの伝送タイミングになるまで（バイトギャップの間）、バリッド信号は停止される（落とされる）。
【０１２９】
図１８は、４ビットパラレル伝送のときのクロック信号、データ信号、およびバリッド信号の波形を示す図である。４ビットパラレル伝送であるため、図１８に示すように、２周期のクロック信号で、８ビットのデータが伝送され、その間、バリッド信号は、Ｈレベルの信号とされている。バイトギャップの間は、バリッド信号は停止される（落とされる）。
【０１３０】
図１９は、２ビットパラレル伝送のときのクロック信号、データ信号、およびバリッド信号の波形を示す図である。２ビットパラレル伝送であるため、図１９に示すように、４周期のクロック信号で、８ビットのデータが伝送され、その間、バリッド信号は、Ｈレベルの信号とされている。バイトギャップの間は、バリッド信号は停止される（落とされる）。
【０１３１】
図２０は、１ビットシリアル伝送のときのクロック信号、データ信号、およびバリッド信号の波形を示す図である。１ビットシリアル伝送であるため、図２０に示すように、８周期のクロック信号で、８ビットのデータが伝送され、その間、バリッド信号は、Ｈレベルの信号とされている。バイトギャップの間は、バリッド信号は停止される（落とされる）。
【０１３２】
このように、バリッド信号は、有効区間の間だけＨレベルとされ、クロック信号は、一度に伝送されるビット数によらず、常に発振された状態とされる。
【０１３３】
例えば、復調処理部４２と処理部４３と間にデータ信号線が、８本ある場合、図１７に示したようなクロック信号とバリッド信号に基づき、データが伝送される。また例えば、復調処理部４２と処理部４３と間にデータ信号線が、１本ある場合、図２０に示したようなクロック信号とバリッド信号に基づき、データが伝送される。
【０１３４】
図１７乃至図２０を参照して説明したクロック信号の場合、クロック信号の周波数は、１周期で伝送するビット数によらず一定である。例えば、処理部４３が処理できるクロック信号に設定し、その設定されている周波数で、復調処理部４２は、図１７乃至図２０を参照して説明したいずれかの制御を行うことで、ＴＬＶの授受を行える。
【０１３５】
また、クロック信号の供給を停止すると、正常な動作が確保できないような処理部４３に対しても有効である。
【０１３６】
＜８ビットパラレル伝送時のパケット内、パケット間のギャップ時の信号について＞
図９乃至図２０を参照し、８ビットのデータを伝送するときのクロック信号やバリッド信号について説明した。さらに可変長のパケットデータを伝送するときのクロック信号やバリッド信号について説明を加える。可変長のパケットデータを伝送するとき、パケット内ギャップやパケット間ギャップが発生するときがある。
【０１３７】
パケット内ギャップは、常に発生する分けではないが、例えば、パリティ（parity）の部分やスロットを跨ぐ部分などで発生するギャップである。パケット間ギャップは、パケットとパケットの間で、伝送するデータが存在しないときに発生するギャップであり、ヌル（Null）パケットが存在する部分などで発生するギャップである。
【０１３８】
そのようなパケット内ギャップやパケット間ギャップが発生した部分において、クロック信号を止めることについて説明する。
【０１３９】
図２１、図２２を参照し、８ビットパラレル伝送のときであり、ギャップが発生した区間で、クロック信号を停止する場合について説明する。図２１は、クロック信号がライジングエッジモードのときであり、図２２は、フォーリングエッジモードのときである。
【０１４０】
図２１は、８ビットパラレル伝送のときのクロック信号、データ信号、およびバリッド信号の波形を示す図である。図２１の上図は、クロック信号を常時発振している場合を表し、図２１の下図は、クロック信号をギャップ発生時に停止する場合を表す。
【０１４１】
シンク信号は、ＴＬＶに含まれるパケットの先頭のタイミングを表し、パケットの先頭のタイミングだけ、一時的に、Ｌ(Low)レベルからＨ(High)レベルになる信号である。クロック信号は、図２１の上図に示した例では常時発振されている。
【０１４２】
バリッド信号は、パケットが存在する区間（有効区間）である場合、Ｈレベルになり、有効以外の区間（無効区間）では、Ｌレベルになる。８ビットパラレル伝送であるため、バリッド信号がＨレベルのとき、１周期のクロック信号で１パケット内の８ビットのデータが伝送される。なお図２１では、データ信号として、８ビット分は図示しおらず、１ビット分だけ図示してある。後述する図２２も同様に図示してある。
【０１４３】
図２１の上図を参照するに、バリッド信号は、パケット内ギャップが発生したときには、無効区間であることを示すために、ＨレベルからＬレベルに反転される。同じく、バリッド信号は、パケット間ギャップが発生したときには、無効区間であることを示すために、ＨレベルからＬレベルに反転される。
【０１４４】
図２１の上図に示した例では、パケット内ギャップやパケット間ギャップが発生したか否かに係わらず、換言すれば、バリッド信号が有効区間（無効区間）を表しているか否かに係わらず、クロック信号は発振を継続している。
【０１４５】
処理部４３が、クロック信号の停止を許容していない場合などに、図２１の上図に示したように、クロック信号が常時発振した状態が維持される制御が行われる。
【０１４６】
処理部４３が、クロック信号の停止を許容している場合、図２１の下図に示したように、ギャップが発生したときには、クロック信号の発振は停止される。
【０１４７】
図２１の下図を参照するに、パケット内ギャップが発生しているとき、換言すれば、バリッド信号が、無効区間を表しているとき、クロック信号の発振は停止される（クロック信号は落とされる）。また、パケット間ギャップが発生しているときも、換言すれば、バリッド信号が、無効区間を表しているとき、クロック信号の発振は停止される（クロック信号は落とされる）。
【０１４８】
このように、ギャップが発生している区間ではクロック信号を停止することで、消費電力を低減させることが可能となる。
【０１４９】
なお、図２１の下図に示した例では、クロック信号が停止されている区間は、バリッド信号も無効区間を表すＬレベルに設定されている例を示した。この例は一例であり、クロック信号が停止される区間は、バリッド信号が無効区間を表すＬレベルに設定されていても良いし、有効区間を表すＨレベルに設定されていても良い。
【０１５０】
バリッド信号が有効区間を表していても、クロック信号が停止されていることで、処理部４３が、データをラッチすることはない。よってギャップが発生し、データが無効であるときに、クロック信号を停止するようにした場合、バリッド信号は、有効区間であることを示すＨレベルが維持されるようにしても良いし、無効区間であることを示すＬレベルに落とされるようにしても良い。
【０１５１】
後述する図２２乃至２６においても、クロック信号が停止されている区間は、バリッド信号も無効区間を表すＬレベルに設定されている例を示し、説明を行うが、クロック信号が停止されている区間のバリッド信号のレベルは、Ｈレベルであっても、Ｌレベルであっても、どちらでも良い。
【０１５２】
バイトギャップが発生しているときにも、クロック信号を停止するようにしても良い。バイトギャップが発生しているときにクロック信号を停止するようにした場合、図１３を参照して説明したような制御を適用することができる。
【０１５３】
図２２は、８ビットパラレル伝送のときのクロック信号、データ信号、およびバリッド信号の波形を示す図である。図２２の上図は、クロック信号を常時発振している場合を表し、図２２の下図は、クロック信号をギャップ発生時に停止する場合を表す。
【０１５４】
図２２に示したクロック信号は、フォーリングエッジモードの場合である場合を示し、この点以外は、図２１に示したクロック信号がライジングエッジモードの場合と同様であるため、その説明は省略する。
【０１５５】
本技術は、クロック信号が、ライジングエッジモードであるか、フォーリングエッジモードであるかに係わらず適用できる。また、図２１、図２１を参照して説明した実施の形態と、図９乃至図２０を参照して説明した実施の形態は、適宜組み合わせて適用することが可能である。
【０１５６】
図２１、図２２を参照した説明においては、８ビットパラレル伝送を例に挙げて説明したが、他のビット数のパラレル伝送、例えば、４ビットや２ビットのパラレル伝送においても、上記した８ビットパラレル伝送と同様に、クロック信号の発振が制御されるようにすることは可能である。すなわち、８ビットパラレル伝送以外のパラレル伝送においても、本技術を適用できる。
【０１５７】
＜１ビットシリアル伝送時のパケット内、パケット間のギャップ時の信号について＞
図２３、図２４を参照し、１ビットシリアル伝送のときであり、ギャップが発生した区間で、クロック信号を停止する場合についてについて説明する。図２３は、クロック信号がライジングエッジモードのときであり、図２４は、フォーリングエッジモードのときである。
【０１５８】
図２３は、１ビットシリアル伝送のときのクロック信号、データ信号、およびバリッド信号の波形を示す図である。図２３の上図は、クロック信号を常時発振している場合を表し、図２３の下図は、クロック信号をギャップ発生時に停止する場合を表す。
【０１５９】
１ビットシリアル伝送であるため、バリッド信号がＨレベルのとき、１周期のクロック信号で１パケット内の１ビットのデータが伝送され、８周期で、８ビットのデータが伝送される。パケットが存在する区間（有効区間）である場合、バリッド信号は、Ｈレベルになり、有効以外の区間（無効区間）では、Ｌレベルになる。よって、バリッド信号は、パケット内ギャップ、パケット間ギャップの区間においては、無効区間表すＬレベルとされる。また、バイトギャップが発生した場合には、そのギャップ区間も、バリッド信号は、無効区間表すＬレベルとされる。
【０１６０】
図２３の上図の場合も、図２１の上図を参照して説明した場合と同じく、パケット内ギャップやパケット間ギャップが発生したか否かに係わらず、換言すれば、バリッド信号が有効区間（無効区間）を表しているか否かに係わらず、クロック信号は発振を継続している。
【０１６１】
処理部４３が、クロック信号の停止を許容していない場合などに、図２３の上図に示したように、クロック信号が常時発振した状態が維持される制御が行われる。
【０１６２】
処理部４３が、クロック信号の停止を許容している場合、図２３の下図に示したように、ギャップが発生したときには、クロック信号の発振は停止される。
【０１６３】
図２３の下図を参照するに、パケット内ギャップが発生しているとき、またはパケット間ギャップが発生しているとき、換言すれば、バリッド信号が、無効区間を表しているとき（バイトギャップにおける無効区間は除く）、クロック信号の発振は停止される（クロック信号は落とされる）。
【０１６４】
このように、パケット内ギャップやパケット間ギャップが発生している区間ではクロック信号を停止することで、消費電力を低減させることが可能となる。
【０１６５】
図２４は、１ビットシリアル伝送のときのクロック信号、データ信号、およびバリッド信号の波形を示す図である。図２４の上図は、クロック信号を常時発振している場合を表し、図２４の下図は、クロック信号をギャップ発生時に停止する場合を表す。
【０１６６】
図２４に示したクロック信号は、フォーリングエッジモードの場合である場合を示し、この点以外は、図２３に示したクロック信号がライジングエッジモードの場合と同様であるため、その説明は省略する。
【０１６７】
本技術は、クロック信号が、ライジングエッジモードであるか、フォーリングエッジモードであるかに係わらず適用できる。
【０１６８】
図２３、図２４では、バイトギャップが発生しているときには、クロック信号の発振を停止させない場合について説明したが、バイトギャップのときも、クロック信号の発振を停止させるようにしても良い。
【０１６９】
図２５、図２６を参照し、１ビットシリアル伝送のときのクロック信号を停止する他の場合について説明する。図２５は、クロック信号がライジングエッジモードのときであり、図２６は、フォーリングエッジモードのときである。
【０１７０】
図２５は、１ビットシリアル伝送のときのクロック信号、データ信号、およびバリッド信号の波形を示す図である。図２５の上図は、クロック信号をバイトギャップ以外の区間では常時発振している場合を表し、図２５の下図は、クロック信号をギャップ発生時に停止する場合を表す。
【０１７１】
パケットが存在する区間（有効区間）である場合、バリッド信号は、Ｈレベルになり、有効以外の区間（無効区間）では、Ｌレベルになるが、図２５上図、および下図に示した例では、バイトギャップの発生時には、Ｈレベルのままであり、パケット内ギャップとパケット間ギャップの発生時には、Ｌレベルに設定される例を示している。
【０１７２】
図２５に示した例は、図１６を参照して説明した場合を適用したときであり、パケット内ギャップとパケット間ギャップの発生時以外の区間では、バリッド信号はＨレベルが維持され、バイトギャップの発生時には、クロック信号は停止される場合を示している。
【０１７３】
図２５の上図の場合、パケット内ギャップやパケット間ギャップが発生したか否かに係わらず、換言すれば、バリッド信号が有効区間（無効区間）を表しているか否かに係わらず、クロック信号は発振を継続されているが、バイトギャップが発生したときだけ、クロック信号は停止されている。
【０１７４】
図２５の下図を参照するに、パケット内ギャップが発生しているとき、またはパケット間ギャップが発生しているとき、換言すれば、バリッド信号が、無効区間を表しているとき、クロック信号の発振は停止される（クロック信号は落とされる）。
【０１７５】
また、バイトギャップが発生しているときであるが、バリッド信号は、有効区間を表しているとき、クロック信号の発振は停止される（クロック信号は落とされる）。
【０１７６】
このように、パケット内ギャップ、パケット間ギャップ、およびバイトギャップが発生している区間ではクロック信号を停止することで、消費電力を低減させることが可能となる。
【０１７７】
図２６は、１ビットシリアル伝送のときのクロック信号、データ信号、およびバリッド信号の波形を示す図である。図２６の上図は、クロック信号を常時発振している場合を表し、図２６の下図は、クロック信号をギャップ発生時に停止する場合を表す。
【０１７８】
図２６に示したクロック信号は、フォーリングエッジモードの場合である場合を示し、この点以外は、図２５に示したクロック信号がライジングエッジモードの場合と同様であるため、その説明は省略する。
【０１７９】
本技術は、クロック信号が、ライジングエッジモードであるか、フォーリングエッジモードであるかに係わらず適用できる。また、図２３乃至図２６を参照して説明した実施の形態と、図９乃至図２０を参照して説明した実施の形態は、適宜組み合わせて適用することが可能である。
【０１８０】
＜エラー信号の伝送について＞
次にエラー信号の伝送について説明する。
【０１８１】
従来の復調処理部４２は、ＴＳパケットを扱っていたが、そのＴＳパケットにはデータ内にエラーがあるか否かを示すトランスポートエラーインジケータという情報が含まれていた。図２７に、ＴＳパケット（MPEG2-TSパケット）の構造を示す。図２７に示したパケット内のパケットヘッダ内の同期情報が書き込まれる領域の次の領域に、１ビットのトランスポートエラーインジケータという情報が含まれている。
【０１８２】
このようなトランスポートエラーインジケータで示されるエラー情報は、復調処理部４２と処理部４３との間で、例えば、専用の信号線を介して伝送される。図６の下図を再度参照する。図６の下図に示した復調処理部４２と処理部４３の間には、信号線が５本配置されており、そのうちの１本が、エラー信号を伝送するエラー信号線とされている。
【０１８３】
このような構成の場合、エラーが発生していることを示すデータは、復調処理部４２から処理部４３にエラー信号線を介して伝送される。
【０１８４】
復調処理部４２と処理部４３との間で、ＴＬＶパケットを扱えるように構成した場合、トランスポートエラーインジケータに相当する情報を、ＴＬＶパケット内に含ませるようにし、エラー情報を、復調処理部４２から処理部４３に伝送できるようにすることができる。
【０１８５】
ここで、再度、図４を参照する。図４は、ＴＬＶパケットの構成を示す図であった。ＴＬＶパケットのパケットヘッダは、２ビットの領域と６ビットの領域に分けられ、全体として８ビットの領域とされている。この８ビットの領域のうちの１ビットを、トランスポートエラーインジケータに該当するエラーインジゲータとして用いるようにすることができる。
【０１８６】
また、図４の下図を参照するに、パケット種別の領域のうち、パケット種別の値として、“０ｘ００”と“０ｘ０４−０ｘＦＤ”は、未定義とされている。この未定義の領域をエラーインジケータに割り当てることで、トランスポートエラーインジケータに該当するエラーインジゲータとして用いるようにすることができる。
【０１８７】
このように、ＴＬＶパケット内に、エラーインジケータが含まれるようにした場合、復調処理部４２が、エラーインジケータで表されるエラー情報（エラーが発生している、または発生していないという情報）を、処理部４３に伝送することができるようになる。すなわち、ＴＬＶパケットを扱う場合においても、エラー情報を伝送することが可能となる。
【０１８８】
エラー情報の伝送は、上記した場合と同じく、エラー信号線が配置されている場合には、そのエラー信号線を用いて、復調処理部４２から処理部４３に伝送されるように構成することができる。
【０１８９】
またエラー信号線が配置されていないような場合、例えば、図６の上図に示したような構成の場合、データ信号線で、データとしてエラー情報を伝送するように構成することができる。
【０１９０】
エラー情報の伝送は、図２８に示すように、誤り訂正符号単位で行っても良いし、可変長パケット単位で行っても良い。図２８を参照する。図２８に上部に示すように、誤り訂正符号が正常に行われた区間（BCH OK1）、誤り訂正符号にエラーが発生した区間（BCH ERR1）、誤り訂正符号にエラーが発生した区間（BCH ERR2）、誤り訂正符号が正常に行われた区間（BCH OK2）、誤り訂正符号にエラーが発生した区間（BCH ERR3）の順で誤り訂正が行われたとする。
【０１９１】
また、（BCH ERR1）区間と、（BCH ERR2）区間は、可変長パケット出力＃１の区間にあり、（BCH ERR2）区間は、可変長パケット出力＃２の区間にもあり、（BCH ERR3）区間は、可変長パケット出力＃４の区間にあるとする。
【０１９２】
このような状況下において、誤り訂正符号単位でエラー情報を出力するようにした場合、図２８のERR１として示した波形のように、エラー情報は出力される。すなわち、（BCH ERR1）区間、（BCH ERR2）区間、および（BCH ERR3）区間の間だけ、エラー情報は出力され（エラー信号はＨレベルとされ）、他の区間、すなわちエラーが発生していない区間は、エラー情報は出力されない（エラー信号はＬレベルとされる）。
【０１９３】
可変長パケット単位で、エラー情報を出力するようにした場合、まず（BCH ERR1）区間は、可変長パケット出力＃１の区間にあるため、可変長パケット出力＃１の区間の間、エラー信号は出力され続ける（エラー信号はＨレベルが維持される）。
【０１９４】
（BCH ERR2）区間は、可変長パケット出力＃１の区間と可変長パケット出力＃２の区間にあるため、可変長パケット出力＃１の区間の間と可変長パケット出力＃２の区間の間、エラー信号は出力され続ける（エラー信号はＨレベルが維持される）。
【０１９５】
（BCH ERR3）区間は、可変長パケット出力＃４の区間にあるため、可変長パケット出力＃４の区間の間、エラー信号は出力され続ける（エラー信号はＨレベルが維持される）。
【０１９６】
このように、エラー情報は、誤り訂正符号単位で変化するように出力されるように構成しても良いし、可変長パケット単位で変化するように出力されるように構成しても良い。
【０１９７】
＜ＮＴＰの処理について＞
次に、ＮＴＰの処理について説明する。図３を参照して説明したように、ＴＬＶパケットには、ＴＬＶストリームＩＤ毎に、所定の位置に、時刻情報であるＮＴＰが配置されている。このＮＴＰは、MPEG2-ＴＳにおけるＰＣＲ(Program Clock Reference)と同様の役割を果たす情報として用いることが可能な情報である。ここで、簡便にＰＣＲについて説明を加える。
【０１９８】
ＰＣＲを送出する側は、一定周期毎にＰＣＲデータを独立パケットやビデオやオーディオPESに含ませて受信機側に送出する。ＰＣＲは、送出側の２７MHzクロックでカウントされた42ビットの値STC（System Time Clock）が入っている。
【０１９９】
受信機側は、ＰＭＴの中の記述から、ＰＣＲデータがどこにあるのかを知り、ＰＣＲデータ中のSTC値をクロック再生部にてロードする。クロック再生部は、ＴＳのＰＣＲからロードされたSTC値と、２７MHzの発振器にてカウントされたカウント値を比較し、その差分が0になるように制御を行う。その結果、送出側のクロックに対して、ある程度の精度で、ロックをかけることができるように構成されている。
【０２００】
このような制御に用いられるＰＣＲは、ＴＬＶパケットにおいては、ＮＴＰに該当する。ＮＴＰは、上記したように、送出側（送信機１０）で、所定の間隔でＴＬＶパケットに含ませられ、受信機１１に送信されてくる。受信機１１では、所定の間隔を、ＮＴＰを用いて再現し、送信側のクロックと同期をとる必要がある。
【０２０１】
図２９乃至図３３を参照し、復調処理部４２から処理部４３へのデータの出力について説明を加える。復調処理部４２から処理部４３に出力されるデータは、図８を参照して説明したように、伝送データＡ乃至Ｈのいずれかである。
【０２０２】
図２９乃至図３３を参照して説明するようなデータの出力が行われた場合に、ＮＴＰは、所定の間隔を保持して出力されることを、図３４を参照して後述する。
【０２０３】
図２９乃至図３３において、上部の４段に示した図は、共通であり、データ抽出までの処理について説明するための図である。図２９乃至図３３に示した例では、１フレームに、放送局Ａ、放送局Ｂ、放送局Ｃ、・・・、放送局ＸからのＴＬＶストリームが含まれている場合を示している。ここでは、放送局ＢからのＴＬＶストリームを処理する場合を例に挙げて説明する。
【０２０４】
放送局ＢからのＴＬＶストリームの一部を構成するスロット＃６乃至＃１０までのＴＬＶストリームは、１６ＡＰＳＫ方式で復調され、スロット＃１１乃至＃１５までのＴＬＶストリームは、１６ＡＰＳＫ方式で復調され、スロット＃１６乃至＃２０までのＴＬＶストリームは、ＱＰＳＫ方式で復調されている。このように、１フレーム内に含まれるＴＬＶストリームは、異なる方式で復調されているストリームが含まれる場合もある。
【０２０５】
このようなＴＬＶストリームが送信機１０から受信機１１に送信されたとする。受信機１１では、復調方式に対応した復号方式で、受信されたＴＬＶストリームを復号する。また復号されたＴＬＶストリームの内、所望の放送局、この場合、放送局ＢからのＴＬＶストリームが抽出される。
【０２０６】
さらに、ＴＬＶストリーム中から、ＴＬＶパケットが抽出される。図２９では、ＴＬＶパケットとして、ＴＬＶパケット＃１乃至＃１２が抽出されたとする。
【０２０７】
図２９に、斜線（塗りつぶし）の部分は、上述した説明において、パケット内ギャップまたはパケット間ギャップに相当する部分である。また斜線（塗りつぶし）の部分は、放送局Ａなど、放送局ＢからのＴＬＶストリームではなく、無信号の区間であることを表している。
【０２０８】
パケット内ギャップは、パリティなどの部分であるため、図２９に示した例では、スロット毎に存在している。パケット間ギャップは、例えば、スロット１０がヌルパケットである場合などに発生する。
【０２０９】
ＴＬＶパケット＃１は、スロット＃６から抽出されたパケットである。ＴＬＶパケット＃２は、スロット＃６、スロット＃７、およびスロット＃８から抽出されたパケットである。ＴＬＶパケット＃２は、３つのスロットにまたがっているため、パケット内ギャップが２箇所（スロット＃６とスロット＃７の間、スロット＃７とスロット＃８の間）発生している。
【０２１０】
ＴＬＶパケット＃３は、スロット＃８から抽出されたパケットである。ＴＬＶパケット＃４は、スロット＃８とスロット＃９から抽出されたパケットである。ＴＬＶパケット＃４は、２つのスロットにまたがっているため、パケット内ギャップが１箇所（スロット＃８とスロット＃９の間）発生している。
【０２１１】
ＴＬＶパケット＃５は、スロット＃９とスロット＃１１から抽出されたパケットである。ＴＬＶパケット＃５は、スロット＃９乃至＃１１の３つのスロットにまたがっているが、スロット＃１０は、ヌルパケットのため、パケット内ギャップとパケット間ギャップが発生している。
【０２１２】
ＴＬＶパケット＃６は、スロット＃１１とスロット＃１２から抽出されたパケットである。ＴＬＶパケット＃６は、２つのスロットにまたがっているため、パケット内ギャップが１箇所（スロット＃１１とスロット＃１２の間）発生している。ＴＬＶパケット＃７は、スロット＃１２から抽出されたパケットである。
【０２１３】
ＴＬＶパケット＃８は、スロット＃１２とスロット＃１３から抽出されたパケットである。ＴＬＶパケット＃８は、２つのスロットにまたがっているため、パケット内ギャップが１箇所（スロット＃１２とスロット＃１３の間）発生している。ＴＬＶパケット＃９は、スロット＃１３から抽出されたパケットである。
【０２１４】
ＴＬＶパケット＃１０は、スロット＃１３とスロット＃１４から抽出されたパケットである。ＴＬＶパケット＃１０は、２つのスロットにまたがっているため、パケット内ギャップが１箇所（スロット＃１３とスロット＃１４の間）発生している。
【０２１５】
ＴＬＶパケット＃１１は、スロット＃１６から抽出されたパケットである。ＴＬＶパケット＃１２は、スロット＃１６とスロット＃１７から抽出されたパケットである。ＴＬＶパケット＃１２は、２つのスロットにまたがっているため、パケット内ギャップが１箇所（スロット＃１６とスロット＃１７の間）発生している。
【０２１６】
＜データの第１の出力パターンについて＞
このようなＴＬＶパケットを、復調処理部４２から処理部４３にデータ信号線（図６）で伝送する場合、パケットを抽出したタイミングで、出力するパターン（以下、第１の出力パターンとする）を、図２９の最下段に示した。
【０２１７】
シンク信号は、ＴＬＶパケットの先頭でＨレベルにされるため、図２９の最下段に示したように、ＴＬＶパケット＃１乃至＃１２のそれぞれの先頭のタイミングでＨレベルにされる。
【０２１８】
バリッド信号は、ギャップが発生した箇所でＬレベルにされる。このようなシンク信号とバリッド信号に合わせて、ＴＬＶパケット＃１乃至＃１２が順次伝送される。その伝送のタイミング（伝送区間）は、ＴＬＶパケットが抽出されたタイミング（抽出区間）とほぼ同一とされる。
【０２１９】
このように、復調処理部４２で復調された時点で、データを出力するようにすることで、復調処理部４２で一旦データを記憶するといった処理を行わなくても良く、出力のためのバッファなどを有しない構成とすることが可能となる。
【０２２０】
＜データの第２の出力パターンについて＞
図３０を参照して、フレーム全体を通して、ＴＬＶパケットを出力するパターン（第２の出力パターンと記述する）について説明する。
【０２２１】
図３０においても、図２９を参照して説明した場合と同じ状況であり、ＴＬＶパケット＃１乃至＃１２が抽出された状況である場合を例に挙げて説明する。
【０２２２】
図３０に示した例では、１フレームの区間で、ＴＬＶパケット＃１乃至＃１２を出力する。このようにした場合も、シンク信号は、ＴＬＶパケットの先頭でＨレベルにされるため、図３０の最下段に示したように、ＴＬＶパケット＃１乃至＃１２のそれぞれの先頭のタイミングでＨレベルにされる。
【０２２３】
なお、図３０では、ＴＬＶパケット＃１乃至＃１２が抽出されたフレーム＃２（frame#2)のところに、ＴＬＶパケット＃１乃至＃１２を説明のために図示した。実際の処理においては、フレーム＃２からＴＬＶパケット＃１乃至＃１２が抽出され、フレーム＃３が処理されているときに、ＴＬＶパケット＃１乃至＃１２は、１フレーム区間かけて伝送される。
【０２２４】
バリッド信号は、１フレームの間、ＴＬＶパケットが出力されるため、有効区間を表すＨレベルが維持された状態である。よって、バリッド信号は、基本的に常時Ｈレベルが維持されている状態となる。
【０２２５】
このように、１フレームの区間をかけて、１フレーム内から抽出されたＴＬＶパケットを伝送するようにしても良い。このようにした場合、復調処理部４２は、１フレーム分のデータを一旦記憶するバッファなどを備える構成とし、１フレーム分のデータを記憶した後、１フレーム分の時間を、蓄積されたデータ量に応じて分割し、クロック信号を制御して、処理部４３へと伝送する。
【０２２６】
よって、クロック信号を比較的遅い周波数に設定することが可能となる。このことにより、例えば、シリアル伝送または低ビットでのパラレル伝送でも対応できるようになり、処理部４３のピン数を低減させることが可能となる。
【０２２７】
＜データの第３の出力パターンについて＞
図３１を参照して、パケット内ギャップをない状態でＴＬＶパケットを出力するパターン（第３の出力パターンと記述する）について説明する。
【０２２８】
図３１においても、図２９を参照して説明した場合と同じ状況であり、ＴＬＶパケット＃１乃至＃１２が抽出された状況である場合を例に挙げて説明する。
【０２２９】
図３１に示した例では、パケット内ギャップが発生しないように、適宜、データの出力を調整し、ＴＬＶパケット＃１乃至＃１２を順次出力する。このようにした場合も、シンク信号は、ＴＬＶパケットの先頭でＨレベルにされるため、図３１の最下段に示したように、ＴＬＶパケット＃１乃至＃１２のそれぞれの先頭のタイミングでＨレベルにされる。
【０２３０】
バリッド信号は、パケット間ギャップ以外の区間は、有効区間を表すＨレベルが維持された状態である。例えば、ＴＬＶパケット＃２は、図２９を参照して説明した第１の出力パターンにおいては、２箇所のパケット内ギャップが発生するため、そのパケット内ギャップの区間で、バリッド信号は、無効区間であることを示すＬレベルに落とされていた。
【０２３１】
第３の出力パターンにおいては、図３１の最下段に示したように、ＴＬＶパケット＃２の出力される区間は、バリッド信号は有効区間を示すＨレベルが維持された状態である。図３１の最下段に示したＴＬＶパケット＃２内の点線は、パケット内ギャップが発生していたところであるが、そのようなパケット内ギャップを無くして、ＴＬＶパケット内ではバリッド信号が落ちないように制御される。
【０２３２】
第３の出力パターンにおいては、ＴＬＶパケット内では、バリッド信号が落ちないように、データの出力が制御される。
【０２３３】
第３の出力パターンの場合、復調処理部４２は、ＴＬＶパケットを一旦記憶するバッファなどを備える構成とする必要があるが、そのデータ量は小さいため、バッファの容量は小さくても良い。また、復調処理部４２でデータを一旦蓄積してから出力することで、低周波数のクロック信号で処理部４３へのデータ伝送を行うように制御することも可能となる。
【０２３４】
このことにより、例えば、シリアル伝送または低ビットでのパラレル伝送でも対応できるようになり、処理部４３のピン数を低減させることが可能となる。
【０２３５】
＜データの第４の出力パターンについて＞
図３２を参照して、ＴＬＶパケットが抽出された複数のスロット区間に、その区間にバッファに記憶されたデータを、一定レートでスムージングして出力するパターン（第４の出力パターンと記述する）について説明する。
【０２３６】
図３２においても、図２９を参照して説明した場合と同じ状況であり、ＴＬＶパケット＃１乃至＃１２が抽出された状況である場合を例に挙げて説明する。
【０２３７】
図３２に示した例では、スロット＃６からＴＬＶパケット＃１が抽出され、スロット＃７からＴＬＶパケット＃２が抽出され、スロット＃８からＴＬＶパケット＃２、ＴＬＶパケット＃３、およびＴＬＶパケット＃４が抽出され、スロット＃９からＴＬＶパケット＃４とＴＬＶパケット＃５が抽出されている。このような場合、スロット＃６乃至＃１０の５スロット区間の間に、ＴＬＶパケット＃１乃至＃５がバッファに記憶される。
【０２３８】
よってこの場合、スロット＃６乃至＃１０の５スロット区間の間に、ＴＬＶパケット＃１乃至＃５を一定のレートでスムージングされて出力される。
【０２３９】
他の区間も同じく、図３２に示した例では、５スロットの区間内で抽出されたＴＬＶパケットが、一定レートでスムージングされて出力される。
【０２４０】
なおここで、５スロットを単位としたのは、５スロット毎に変調方式が変わっても良いことが、例えば、高度ＢＳでは許容されている。よってここでも、５スロットを単位として、一定レートでＴＬＶパケットがスムージングされる例を挙げて説明した。
【０２４１】
図３２の例だと、スロット＃６乃至＃１０と、スロット＃１１乃至＃１５は、１６ＡＰＳＫ復調であるが、スロット＃１６乃至＃２０は、ＱＰＳＫ復調である。このような場合、スロット＃６乃至＃１０での出力レートと、スロット＃１６乃至＃２０での出力レートは異なる場合もあり、そのような出力レートの変化は、第４の出力パターンに含まれる実施の形態である。
【０２４２】
また、図３２に示した例では、パケット内ギャップやパケット間ギャップが発生していない例を示したが、第４の出力パターンを適用した場合、５スロット毎に、パケット内ギャップやパケット間ギャップが発生する可能性はある。
【０２４３】
第４の出力パターンの場合も、シンク信号は、ＴＬＶパケットの先頭でＨレベルにされるため、図３２の最下段に示したように、ＴＬＶパケット＃１乃至＃１２のそれぞれの先頭のタイミングでＨレベルにされる。
【０２４４】
バリッド信号は、パケット内ギャップやパケット間ギャップが無ければ、有効区間を表すＨレベルが維持された状態である（図３２に示した状態）。ギャップが発生したときには、バリッド信号を無効区間を表すＬレベルに落とすようにしても良いし、クロック信号を停止させても良い。
【０２４５】
なおここでは、上記したように、クロック信号は可変で常時発信されている場合を例に挙げて説明したが、他の制御で、第４の出力パターンを実現することもできる。
【０２４６】
図示はしないが、バリッド信号は、有効区間を示すＨレベルが維持され、クロック信号は、必要に応じて停止されるように制御されることで、ＴＬＶパケットが出力されている間は、バリッド信号が落ちないように制御されるようにしても良い。この場合、例えば、パケット内ギャップが発生している区間では、クロック信号が停止されるが、バリッド信号がＨレベルを維持した状態とされる。
【０２４７】
また、１フレーム（１２０スロット内）で、例えば、放送局Ｂのスロットが連続して配置されず、途中に、放送局Ｃのスロットが配置されているような場合もある。そのような場合、放送局Ｃのスロットに対応する区間は、クロック信号を停止し、バリッド信号はＨレベルのままを維持するといった制御を行うことでも、放送局ＢのＴＬＶパケットが出力されている間は、バリッド信号が落ちないように制御することができる。
【０２４８】
第４の出力パターンの場合、復調処理部４２は、ＴＬＶパケットを一旦記憶するバッファなどを備える構成とする必要があるが、復調処理部４２でデータを一旦蓄積してから出力することで、低周波数のクロック信号で処理部４３へのデータ伝送を行うようにすることも可能となる。
【０２４９】
このことにより、例えば、シリアル伝送または低ビットでのパラレル伝送でも対応できるようになり、処理部４３のピン数を低減させることが可能となる。
【０２５０】
＜データの第５の出力パターンについて＞
図３３を参照して、ＴＬＶパケットが抽出されたスロットをスムージングし、クロック信号の周波数を固定として、ＴＬＶパケットを出力するパターン（第５の出力パターンと記述する）について説明する。
【０２５１】
第５の出力パターンを適用したときのクロック信号の周波数は、第１の出力パターンを適用したときのクロック信号の周波数よりも遅い周波数となる。第５の出力パターンは、クロック信号の周波数を落としたいときなどに用いることができる。
【０２５２】
図３３においても、図２９を参照して説明した場合と同じ状況であり、ＴＬＶパケット＃１乃至＃１２が抽出された状況である場合を例に挙げて説明する。
【０２５３】
図３３に示した例では、ＴＬＶパケット＃１が抽出されたスロット＃６の先頭から、ＴＬＶパケット＃５が抽出されたスロット＃９の終端までの区間内で、一定のレートでスムージングされ、スロット＃６乃至＃９から抽出されたＴＬＶパケット＃１乃至＃５が出力される。
【０２５４】
同じく、ＴＬＶパケット＃５が抽出されたスロット＃１１の先頭から、ＴＬＶパケット＃１０が抽出されたスロット＃１４の終端までの区間内で、一定のレートでスムージングされ、スロット＃１１乃至＃１４から抽出されたＴＬＶパケット＃５乃至＃１０が出力される。
【０２５５】
同じく、ＴＬＶパケット＃１１が抽出されたスロット＃１６の先頭から、ＴＬＶパケット＃１２が抽出されたスロット＃１７の終端までの区間内で、一定のレートでスムージングされ、スロット＃１６乃至＃１７から抽出されたＴＬＶパケット＃１１乃至＃１２が出力される。
【０２５６】
このようにした場合も、シンク信号は、ＴＬＶパケットの先頭でＨレベルにされるため、図３３の最下段に示したように、ＴＬＶパケット＃１乃至＃１２のそれぞれの先頭のタイミングでＨレベルにされる。
【０２５７】
第５の出力パターンにおいては、単一のスロットでスムージングされ、クロック信号の周波数は固定でデータの出力が制御される。
【０２５８】
このようにした場合、復調処理部４２は、ＴＬＶパケットを一旦記憶するバッファなどを備える構成とする必要があるが、復調処理部４２でデータを一旦蓄積してから出力することで、上記したように、低周波数のクロック信号で処理部４３へのデータ伝送を行うようにすることも可能となる。
【０２５９】
このことにより、例えば、シリアル伝送または低ビットでのパラレル伝送でも対応できるようになり、処理部４３のピン数を低減させることが可能となる。
【０２６０】
＜ＮＴＰが一定間隔で出力されることについて＞
第１乃至第５の出力パターンを説明したが、これらの第１乃至第５の出力パターンのいずれのパターンにおいても、時刻情報であるＮＴＰの出力間隔が保たれることについて、図３４を参照して説明する。
【０２６１】
図３４の１段目は、受信機１１で受信されるＴＬＶストリームを示している。図３４では、１フレームに、放送局Ａ、放送局Ｂ、放送局ＣのＴＬＶストリームが含まれている。このようなストリームから、放送局ＢのＴＬＶストリームが抽出される場合を例に挙げて説明する。
【０２６２】
図３４の２段目は、誤り訂正復号が行われた後のＴＬＶストリームを表している。図中、縦線は、復号されたスロット内のデータを表し、処理部４３に伝送の候補であるデータを示す。特に、図中太線（塗りつぶされた四角形）は、ＮＴＰが含まれるスロットを表す。
【０２６３】
図３を参照して説明したように、ＮＴＰは、ＴＬＶストリームの所定の位置、ここでは、ＴＬＶストリームの先頭のスロットに含まれている。また、ＮＴＰは、ＴＬＶストリームＩＤ毎に１箇所配置されているため、例えば、図３４に示した例では、放送局ＡからのＴＬＶストリームの先頭のスロット、放送局ＢからのＴＬＶストリームの先頭のスロット、および放送局ＣからのＴＬＶストリームの先頭のスロットに、それぞれＮＴＰが配置されている。
【０２６４】
なお、例えば、図２９乃至図３３に示した例のように、例えば、１フレームに異なる復調方式（図では、１６ＡＰＳＫ復調方式と、ＱＰＳＫ方式）で復調された放送局ＢのＴＬＶストリームが含まれていた場合、スロット＃６、またはスロット＃１６のどちらかに、ＮＴＰが配置される。
【０２６５】
なおここでは、ＴＬＶストリームの先頭のスロットにＮＴＰが配置されるとして説明を続けるが、ＮＴＰが配置されるスロットは、ＴＬＶストリームの所定の位置であれば良く、先頭のスロットに、その配置位置が限定されることを示す記載ではない。
【０２６６】
図３４を参照した説明に戻る。誤り訂正復号が施されたＴＬＶストリームの内、放送局ＢからのＴＬＶストリームが抽出される。フレーム毎に放送局ＢからのＴＬＶストリームが抽出されるため、図３４の３段目に示したように、フレーム(frame)＃１、フレーム＃２、フレーム＃３のそれぞれから放送局ＢのＴＬＶストリームが抽出される。また抽出されたそれぞれのＴＬＶストリームの先頭スロットには、ＮＴＰが配置されている。
【０２６７】
図３４の４段目乃至８段目は、それぞれ第１乃至第５の出力パターンでデータを出力したときの波形を示している。それぞれの出力パターンについては、図２９乃至３３を参照して説明したので、図３４においては、ＮＴＰに係わる説明を加える。
【０２６８】
図３４の４段目乃至８段目を参照するに、ＮＴＰは、フレーム＃１、フレーム＃２、フレーム＃３内に、それぞれ１箇所存在する。フレーム＃１内のＮＴＰをＮＴＰ＃１、フレーム＃２内のＮＴＰをＮＴＰ＃２、フレーム＃３内のＮＴＰをＮＴＰ＃３とする。
【０２６９】
図３４の４段目に示した第１の出力パターンにおいて、ＮＴＰ＃１が出力される時刻とＮＴＰ＃２が出力される時刻との差分（ＮＴＰ＃１とＮＴＰ＃２の間隔）と、ＮＴＰ＃２とＮＴＰ＃３との間隔は、同一の間隔となっている。また、その間隔は、１フレーム分の間隔となっている。
【０２７０】
ＮＴＰは、ＴＬＶストリームの先頭のスロットに配置されているため、１フレーム毎に、同一の箇所に配置されていることになる。よって、第１の出力パターンのように、復号されたタイミングで出力する場合、ＮＴＰが出力される間隔も、一定間隔で出力される。よって、第１の出力パターンにおいては、ＮＴＰを所定の間隔で、復調処理部４２から処理部４３に供給でき、処理部４３において、クロックリカバリが可能となる。
【０２７１】
図３４の５段目に示した第２の出力パターンにおいても、ＮＴＰ＃１とＮＴＰ＃２の間隔と、ＮＴＰ＃２とＮＴＰ＃３との間隔は、同一の間隔となっている。また、その間隔は、１フレーム分の間隔となっている。
【０２７２】
第２の出力パターンは、１フレーム区間を用いてＴＬＶパケットを出力するため、１フレームの先頭の出力タイミングで、ＮＴＰが出力されることになる。よって、第２の出力パターンにおいても、ＮＴＰが出力される間隔は一定間隔となり、その一定の間隔で、復調処理部４２から処理部４３にＮＴＰを供給でき、処理部４３において、クロックリカバリが可能となる。
【０２７３】
図３４の６段目に示した第３の出力パターンにおいても、ＮＴＰ＃１とＮＴＰ＃２の間隔と、ＮＴＰ＃２とＮＴＰ＃３との間隔は、同一の間隔となっている。また、その間隔は、１フレーム分の間隔となっている。
【０２７４】
第３の出力パターンは、ＴＬＶパケット内でバリッド信号が落ちないように、出力するパターンである。この第３の出力パターンにおいても、ＮＴＰが出力される間隔は一定間隔となり、その一定の間隔で、復調処理部４２から処理部４３にＮＴＰを供給でき、処理部４３において、クロックリカバリが可能となる。
【０２７５】
なお、第３の出力パターンは、復調処理部４２で、一旦ＴＬＶパケットを記憶し、パケット内ギャップがないように出力タイミングが制御されるため、ＮＴＰの出力間隔を微調整し、その間隔が正確に一定の間隔となるように制御するように構成することも可能である。このことは、第２の出力パターにおいても同様である。
【０２７６】
図３４の７段目に示した第４の出力パターンにおいても、ＮＴＰ＃１とＮＴＰ＃２の間隔と、ＮＴＰ＃２とＮＴＰ＃３との間隔は、同一の間隔となっている。また、その間隔は、１フレーム分の間隔となっている。
【０２７７】
第４の出力パターンは、スロット内でスムージングされ、出力レートが可変である出力パターンである。ＴＬＶストリームの先頭のスロットに配置されているＮＴＰが復号されたタイミングで、復調処理部４２から処理部４３にＮＴＰが出力されるため、第４の出力パターンにおいても、ＮＴＰの出力間隔は、１フレーム分の間隔となり、一定の間隔となる。この第４の出力パターンにおいても、一定の間隔で、復調処理部４２から処理部４３にＮＴＰを供給できるため、処理部４３において、クロックリカバリが可能となる。
【０２７８】
図３４の８段目に示した第５の出力パターンにおいても、ＮＴＰ＃１とＮＴＰ＃２の間隔と、ＮＴＰ＃２とＮＴＰ＃３との間隔は、同一の間隔となっている。また、その間隔は、１フレーム分の間隔となっている。
【０２７９】
第５の出力パターンは、スロット内でスムージングされ、出力レートが固定である出力パターンである。ＴＬＶストリームの先頭のスロットに配置されているＮＴＰが復号されたタイミングで、復調処理部４２から処理部４３にＮＴＰが出力されるため、第５の出力パターンにおいても、ＮＴＰの出力間隔は、１フレーム分の間隔となり、一定の間隔となる。この第５の出力パターンにおいても、一定の間隔で、復調処理部４２から処理部４３にＮＴＰを供給できるため、処理部４３において、クロックリカバリが可能となる。
【０２８０】
このように、第１乃至第５の出力パターンのどの出力パターンにおいても、一定の間隔で、復調処理部４２から処理部４３にＮＴＰを供給できるため、処理部４３において、クロックリカバリが可能となる。
【０２８１】
＜ケーブル再送信への適用＞
上記した実施の形態においては、ＴＬＶパケットを扱う場合を例に挙げて説明したが、本技術は、ＧＳＥ（Generic Stream Encapsulation）、ＧＳＥ−Ｌｉｔｅ（ＤＶＢ）、ＩＰパケットなどのパケットを扱う場合にも適用できる。
【０２８２】
ここで、上記した実施の形態を、デジタルケーブルテレビ放送に適用した場合を例に挙げ、さらに本技術について説明を加える。
【０２８３】
図３５は、デジタルケーブルテレビ放送に関わるシステムの構成を示す図である。衛星放送を受信するアンテナ１０１、送信機１０、および受信機１１を含む構成とされている。
【０２８４】
アンテナ１０１で受信された衛星放送は、送信機１０に供給される。送信機１０は、衛星チューナ１２１とケーブル再送信変換部１２２を含む構成とされている。送信機１０は、デジタルケーブルテレビ放送を行う放送局側の装置であり、アンテナ１０１で受信された衛星放送の放送波をデジタルケーブルテレビ放送の放送波に変換し、受信機１１側に所定のケーブルを介して送信する。
【０２８５】
受信機１１は、図２に示した受信機１１と同様の構成を有している（よって、同様の符号を付し、その説明は省略する）。ただし、図３５に示した受信機１１のチューナ４１は、ケーブルを介して送信されてきたデジタル放送波を受信し、処理する。
【０２８６】
衛星放送は、上記したように、ＴＬＶ方式のデジタル放送波として放送され、アンテナ１０１に受信される。送信機１０は、ＴＬＶ方式のデジタル放送波を、デジタルケーブルテレビ放送の放送波、例えば、分割ＴＬＶパケットに変換して送信する（第１の変換方式とする）、またはＧＳＥパケットに変換して送信する（第２の変換方式とする）。
【０２８７】
第１の変換方式は、ＩＳＤＢ−Ｃ規格でケーブル再送信が行われる場合である。第１の変換方式の場合、図３６に示したように、送信機１０は、受信されたＴＬＶパケットを、分割ＴＬＶパケットに変換する処理を実行する。送信機１０に供給される放送波は、可変長なＴＬＶパケットの集合であり、その可変長なＴＬＶパケットが、固定長の分割ＴＬＶパケットに変換される。
【０２８８】
分割ＴＬＶパケットは、１８８バイトの固定長のパケットであり、１８８バイトのうち、３バイトがヘッダとされ、１８５バイトがペイロードとされている。図３６では、ＴＬＶパケットとして、ＴＬＶパケット１とＴＬＶパケット２を示し、分割ＴＬＶパケットとして、分割ＴＬＶパケット１乃至３を示している。
【０２８９】
図３６に示した例では、ＴＬＶパケット１は、分割ＴＬＶパケット１、分割ＴＬＶパケット２、および分割ＴＬＶパケット３に分割されている。またＴＬＶパケット２の一部は、分割ＴＬＶパケット３に分割されている。
【０２９０】
分割ＴＬＶパケット３は、ＴＬＶパケット１とＴＬＶパケット２のデータを含むパケットとされている。このように、分割ＴＬＶパケットのペイロードには、分割された複数のＴＬＶパケットが含まれることもある。
【０２９１】
分割ＴＬＶパケットは、図３６に示したように、同期バイト、トランスポートエラーインジケータ、ＴＬＶパケット開始インジケーター、PID、およびペイロードから構成されている。ペイロードには、先頭ＴＬＶ指示が含まれる場合がある。同期バイトは、例えば、“0x47”とされる。
【０２９２】
トランスポートエラーインジケーターは、分割ＴＬＶパケット内のビットエラーの有無を示すフラグであり、例えば、“１”のとき、少なくとも１ビットの訂正不可能なエラーが分割ＴＬＶパケットに存在することを示す。
【０２９３】
ＴＬＶパケット開始インジケーターは、“１”のとき、この分割ＴＬＶパケットのペイロード内にＴＬＶパケットの先頭が含まれていることを示す。例えば、分割ＴＬＶパケット２は、ＴＬＶパケット１しか含まず、ＴＬＶパケット１の先頭も含まれていないため、分割ＴＬＶパケット２のＴＬＶパケット開始インジケーターは、“０”とされる。また、例えば、分割ＴＬＶパケット３は、ＴＬＶパケット１とＴＬＶパケット２を含み、ＴＬＶパケット２の先頭を含むため、分割ＴＬＶパケット３のＴＬＶパケット開始インジケーターは、“１”とされる。
【０２９４】
PIDは、ペイロードのデータがＴＬＶデータであることを識別するために使用される領域である。
【０２９５】
先頭ＴＬＶ指示は、ＴＬＶパケット開始インジケーターが“１”のときに用いるペイロードの先頭１バイトである。先頭ＴＬＶ指示の値により、ペイロードの何バイト目にＴＬＶパケットの先頭位置があるかが示される。これにより受信側では、分割ＴＬＶパケットのペイロード内に含まれるＴＬＶパケットの先頭位置を検知できる。ＴＬＶパケット開始インジケーターが“０”のときには、先頭ＴＬＶ指示は、ペイロードに挿入されない。
【０２９６】
送信機１０では、ＴＬＶパケットを分割ＴＬＶパケットに変換し、ケーブル変調をかけ、受信機１１側にケーブルを介して送信する。
【０２９７】
受信機１１は、分割ＴＬＶパケットを受信する。受信機１１は、受信された分割ＴＬＶパケットをＴＬＶパケットに変換する。例えば、復調処理部４２により、分割ＴＬＶパケットは、元のＴＬＶパケットに復元される。例えば、図３６に示したような状態の場合、復調処理部４２は、分割ＴＬＶパケット１乃至３を受信し、ＴＬＶパケット１とＴＬＶパケット２（の一部）を復元する。
【０２９８】
例えば、分割ＴＬＶパケット３のＴＬＶパケット開始インジケーターは、“１”とされ、ペイロードには、先頭ＴＬＶ指示が挿入されている。受信機１１側では、分割ＴＬＶパケット３を受信したとき、その分割ＴＬＶパケット３のＴＬＶパケット開始インジケーターが”１”になっていることを読み取ると、ＴＬＶパケット２の先頭が、ペイロードに挿入されている先頭ＴＬＶ指示で指示されるバイトにあることを認識し、そのバイト以降をＴＬＶパケット２とし、ＴＬＶパケット２を復元する。
【０２９９】
このようにして、復調処理部４２は、分割ＴＬＶパケットからＴＬＶパケットを取得する。よって、復調処理部４２からはＴＬＶパケットが処理部４３に出力される。復調処理部４２からＴＬＶパケットが処理部４３に出力されるのは、上記した実施の形態と同じであり、その出力に関わる処理などは、上記した実施の形態を適用することができる。
【０３００】
なお、ＩＳＤＢ−Ｃ規格でケーブル再送信が行われる場合、誤り訂正は、リードソロモン（ＲＳ）符号が用いられるため、上記した実施の形態を適用するとき、誤り訂正符号に関わる処理は、リードソロモン符号に置き換える必要がある。
【０３０１】
例えば、図２８を参照して説明したエラー情報の伝送において、誤り訂正符号が正常に行われた区間（BCH OK）は、リードソロモン符号による訂正符号が正常に行われた区間（RS OK）と読み替え、誤り訂正符号にエラーが発生した区間（BCH ERR）は、リードソロモン符号による訂正符号にエラーが発生した区間（RS ERR）と読み替えることで、ＩＳＤＢ−Ｃ規格でケーブル再送信が行われる場合においても、上記した実施の形態を適用することができる。
【０３０２】
次に、第２の変換方式でケーブルネットワークへの放送波が変換される場合について説明する。第２の変換方式は、Ｊ．３８２規格でケーブル再送信が行われる場合である。
【０３０３】
第２の変換方式の場合、図３７または図３８に示したように、送信機１０は、受信されたＴＬＶパケットを、ＧＳＥパケットに変換し、さらにＢＢ（ベースバンド）フレームに変換する処理を実行する。ＧＳＥパケットは、DVB(Digital Video Broadcasting)-ＧＳＥ(Generic Stream Encapsulation)に準拠したパケットである。
【０３０４】
ＴＬＶパケットは、図３７に示したように、また詳細は図４に示したように、パケットヘッダ（TLV Header）とデータ（TLV Data）から構成されている。送信機１０は、ＴＬＶパケットを、１又は複数のＧＳＥパケットに変換する。図３７、図３８に示した例では、ＴＬＶパケット１は、ＧＳＥパケット１に変換され、ＴＬＶパケット２は、ＧＳＥパケット２に変換され、ＴＬＶパケット３は、ＧＳＥパケット３とＧＳＥパケット４に変換される例を示している。
【０３０５】
図３７に示した例では、ＧＳＥパケット４は、ＧＳＥヘッダとＧＳＥデータとから構成されるＧＳＥパケット４に変換される例を示した。図３８に示した例では、ＧＳＥパケット４は、ＧＳＥデータから構成されるＧＳＥパケット４に変換される例を示した。ＧＳＥパケット４のように、ＴＬＶパケットからＧＳＥパケットに変換されるとき、ＧＳＥヘッダが付加されないＧＳＥパケットに変換されるようにすることもできる。
【０３０６】
さらに送信機１０は、１または複数個のＧＳＥパケットをデータフィールド(BB Frame Data Field)に配置し、BB(Base Band)ヘッダを付加したBBフレーム(Base Band Frame)を構成し、所定のケーブルを介して受信機１１側に送信する。図３７、図３８に示した例では、ＢＢフレーム１には、ＧＳＥパケット１乃至３が含まれ、ＢＢフレーム２には、ＧＳＥパケット４が含まれる例を示している。
【０３０７】
ここで、図３９、図４０を参照し、ＴＬＶパケットからＧＳＥパケットの変換に関わる処理、特に、ヘッダの変換について説明を加える。図３９においては、パケット変換前のＴＬＶパケットにおけるＴＬＶヘッダと、パケット変換後のＧＳＥパケットにおけるＧＳＥヘッダとの関係が示されている。図３９では、図中の上側にＴＬＶヘッダ、図中の下側にＧＳＥヘッダを図示している。
【０３０８】
ＴＬＶヘッダにおける先頭から２ビットの“０１”と、それに続く、６ビットの予約領域(Reserved)は、パケット変換後のＧＳＥヘッダでは不要であるため、使用しないことになる。一方、ＧＳＥヘッダには、スタートインジケータ(S)、エンドインジケータ(E)、及び、ラベルタイプ(LT)を配置する必要があるので、所定のビットが配置される。
【０３０９】
ここでは、スタートインジケータ(S)とエンドインジケータ(E)には、ＧＳＥパケットに応じたビットが配置されるが、ラベルタイプ(LT)には、例えば、放送を示す“１０”であるビットが配置される。
【０３１０】
また、ＴＬＶヘッダのパケット種別(Type)と、ＧＳＥヘッダのプロトコルタイプ(Protocol Type)は対応している。ただし、ＴＬＶヘッダのパケット種別(Type)は１バイト(B)であるが、ＧＳＥヘッダのプロトコルタイプ(Protocol Type)は２バイト(B)であるため、サイズを合わせるための変換が必要となる。ここでは、例えば、図４０に示すような、タイプ用の変換テーブルを用いることができる。
【０３１１】
この変換テーブルを用いることで、例えば、IPv4のパケットを伝送する際に、ＴＬＶヘッダのパケット種別(Type)として配置されていた"0x01"が、"0x0800"に変換され、ＧＳＥヘッダのプロトコルタイプ(Protocol Type)に対応することになる。
【０３１２】
同様にして、IPv6のパケットが伝送される場合には、"0x02"であるパケット種別が、"0x86DD"であるプロトコルタイプに変換される。また、IP圧縮のパケットが伝送される場合、"0x03"であるパケット種別が、"0x22F2"であるプロトコルタイプに変換される。また、伝送制御信号パケットが伝送される場合、"0xFF"であるパケット種別が、"0x0087"であるプロトコルタイプに変換される。なお、NULLパケットの場合、パケット種別として、"0xFF"が配置されるが、NULLであるため再送は不要であり、特に変換は行われないことになる。なお、パケット種別(Type)が追加された場合には、変換用のプロトコルタイプ(Protocol Type)の値が新たに定義されることになる。
【０３１３】
図３９に戻り、ＴＬＶヘッダのデータ長(Length)は、ＧＳＥヘッダのＧＳＥ長(ＧＳＥ Length)と、全体長(Total Length)に対応している。すなわち、データ長は、その直後からのＴＬＶパケットのサイズをバイト単位で表すものであるが、ＧＳＥパケットのPDUを断片化せずに、１個のＧＳＥパケットにカプセル化される場合には、このデータ長に対応した値が、ＧＳＥヘッダのＧＳＥ長(ＧＳＥ Length)に配置される。
【０３１４】
以上のようにして、“０１”、予約領域(Reserved)、パケット種別(Type)、及び、データ長(Length)が配置されるＴＬＶヘッダを、スタートインジケータ(S)、エンドインジケータ(E)、ラベルタイプ(LT)、ＧＳＥ長(ＧＳＥ Length)、フラグID(Frag ID)、全体長(Total Length)、及び、ＧＳＥ長(ＧＳＥ Length)が配置されるＧＳＥヘッダに変換して、ペイロードに付加することで、ＧＳＥパケットが構成される。これにより、ＴＬＶパケットがＧＳＥパケットに変換されることになる。
【０３１５】
このようなＧＳＥパケットが１または複数個含まれるＢＢフレームが、受信機１１側で受信される。受信機１１の復調処理部４２（図３５）は、ＢＢフレームから、ＧＳＥパケット（内のデータ）を抽出し、処理部４３に対して出力する。
【０３１６】
復調処理部４２からはＧＳＥパケットが処理部４３に出力されるようにした場合も、基本的に、復調処理部４２からはＴＬＶパケットが処理部４３に出力されるようにした場合と同じ処理で、出力に関わる処理を行うことができ、上記した実施の形態を適用することができる。
【０３１７】
また、復調処理部４２から、ＧＳＥパケットを出力するのではなく、さらに、ＧＳＥパケットをＴＬＶパケットに変換し、ＴＬＶパケットが処理部４３に出力されるように構成することも可能である。復調処理部４２は、ＢＢフレームから、ＧＳＥパケット（内のデータ）を抽出し、その抽出されたＧＳＥパケットをＴＬＶパケットに変換し、処理部４３に対して出力する。
【０３１８】
ＧＳＥパケットからＴＬＶパケットに変換する際、図３９、図４０を参照して説明した逆の処理を行うことで、ＧＳＥパケットヘッダをＴＬＶパケットヘッダに変換することができる。よって、ＴＬＶパケットヘッダも、復調処理部４２から処理部４３に出力する場合、ＧＳＥパケットヘッダをＴＬＶパケットヘッダに変換する処理が行われる。
【０３１９】
図８を参照して説明したように、ＴＬＶパケットのうち、パケットヘッダを除く伝送データＢ乃至伝送データＨのうちのいずれかを処理部４３に出力する構成とすることもできるため、そのようにした場合、ＧＳＥパケットヘッダをＴＬＶパケットヘッダに変換する処理は省略しても良い。
【０３２０】
このようにして、復調処理部４２は、ＧＳＥパケットからＴＬＶパケットを取得する。よって、復調処理部４２からはＴＬＶパケットが処理部４３に出力される。復調処理部４２からＴＬＶパケットが処理部４３に出力されるのは、上記した実施の形態と同じであり、その出力に関わる処理などは、上記した実施の形態を適用することができる。
【０３２１】
このように、本技術は、デジタルケーブルテレビ放送に対しても適用することができる。
【０３２２】
＜ＡＬＰへの適用＞
上記した本技術は、ATSC（Advanced Television Systems Committee）方式にも適用できる。以下、本技術をATSC方式に適用した場合を例に挙げて説明する。図４１は、ATSC方式で授受されるＡＬＰパケットの構造を示す図である。
【０３２３】
図４１に示すように、ＡＬＰパケットは、ＡＬＰヘッダと、データが配置されるペイロードから構成される。また、ＡＬＰヘッダは、ベースヘッダ（Base Header）のほか、拡張ヘッダ（Additional Header）とオプショナルヘッダ（Optional Header）を配置することができる。
【０３２４】
ＡＬＰヘッダ（ベースヘッダ）の先頭には、３ビットのタイプ情報（Packet Type）が設定される。タイプ情報には、図４２に示すように、ＡＬＰパケットのペイロードに配置されるデータのタイプに関する情報が設定される。
【０３２５】
すなわち、ペイロードにIPv4のIPパケット（IP/UDPパケット）が配置される場合、タイプ情報には、“０００”が設定される。また、ペイロードに、圧縮されたIPパケット（IP/UDPパケット）が配置される場合、タイプ情報には、“０１０”が設定される。
【０３２６】
また、ペイロードに、LLS(Link Layer Signaling)パケットが配置される場合には、タイプ情報は、“１００”が設定される。このLLSパケットは、LLSシグナリングを伝送するためのパケットである。LLSシグナリングは、放送ネットワークにおけるストリームやサービスの構成を示す情報を含んでいる。また、このLLSパケットを利用して、例えば、レイヤ２のシグナリングであるL2シグナリングを伝送することができる。
【０３２７】
また、ペイロードに、拡張パケット（Packet Type Extension）が配置される場合、タイプ情報には、“１１０”が設定される。さらにペイロードに、MPEG2-TS方式のTSパケットが配置される場合、タイプ情報には、“１１１”が設定される。
【０３２８】
なお、図４２において、“００１”、“０１１”、“１０１”のタイプ情報は、将来の拡張のための未定義（Reserved）の領域となっている。
【０３２９】
図４１の説明に戻り、ＡＬＰパケットのＡＬＰヘッダ（ベースヘッダ）において、タイプ情報の次には、１ビットのパケット設定情報（PC：Packet Configuration）が配置される。パケット設定情報として、“０”が設定された場合、その次に配置される１ビットのヘッダモード（HM：Header Mode）に応じて、シングルパケットモード（Single packet mode）となって、ＡＬＰヘッダには、１１ビットのレングス情報（Length）や拡張ヘッダ（Additional header）が配置される。
【０３３０】
なお、シングルパケットモードにおいて、拡張ヘッダが配置されないＡＬＰパケットは、ノーマルパケット（normal packet）と称される。一方、拡張ヘッダが配置されるＡＬＰパケットは、ロングパケット（long packet）と称される。
【０３３１】
一方、パケット設定情報（PC）として、“１”が設定された場合、その次に配置される１ビットのS/C（Segmentation/Concatenation）に応じて、セグメンテーションモード（Segmentation mode）又は連結モード（Concatenation mode）となって、ＡＬＰヘッダには、１１ビットのレングス情報（Length）や拡張ヘッダ（Additional header）が配置される。
【０３３２】
そして、ＡＬＰパケットにおいては、以上のように構成されるＡＬＰヘッダに続いて、ペイロードが配置される。このペイロードには、ＡＬＰヘッダ（ベースヘッダ）のタイプ情報に応じて、例えば、IPv4のIPパケット（IP/UDPパケット）やLLSパケットなどを配置することができる。
【０３３３】
このような構造を有するＡＬＰパケットが受信機１１（図２または図３５）で処理される場合、復調処理部４２から処理部４３には、ＡＬＰパケットが出力される。ＡＬＰパケットが、復調処理部４２で復調され、処理部４３に出力される場合も、基本的に、復調処理部４２からはＴＬＶパケットが処理部４３に出力されるようにした場合と同じ処理で、出力に関わる処理を行うことができ、上記した実施の形態を適用することができる。
【０３３４】
しかしながら、ＡＬＰパケットには、エラー発生時に、エラーが発生していることを伝送するエラー情報が含まれていない。ここで、図２７を再度参照する。図２７は、ＴＳパケット（MPEG2-TSパケット）の構造を示す図であった。図２７に示したパケット内のパケットヘッダ内の同期情報が書き込まれる領域の次の領域に、１ビットのトランスポートエラーインジケータという情報が含まれている。
【０３３５】
このトランスポートエラーインジケータは、ＴＳパケット内のビットエラーの有無を示すフラグであり、例えば、“１”のとき、少なくとも１ビットの訂正不可能なエラーがＴＳパケット内に存在することを示す。
【０３３６】
これに対して、図４１に示したＡＬＰパケットには、トラスポートエラーインジケータに対応する情報は含まれていない。よって復調処理部４２から処理部４３にＡＬＰパケットを出力するようにした場合に、トランスポートエラーインジケータに対応する情報を、復調処理部４２と処理部４３の間で授受できない。換言すれば、ＡＬＰパケット内に、少なくとも１ビットの訂正不可能なエラーが存在していても、そのことを伝送するための情報が、ＡＬＰパケットには含まれていない。
【０３３７】
そこで、復調処理部４２から処理部４３にＡＬＰパケットを出力するようにし、エラー情報も出力できるようにするための方法について説明する。
【０３３８】
まずエラー情報の出力に関わる第１の方法として、エラーインジケータ（ＥＩ）をＡＬＰパケットに含ませる方法について説明する。図４２を再度参照する。図４２に示したように、タイプ情報としては、未定義（Reserved）を除くと、IPv4のIPパケット（IPv4 packet）、圧縮されたIPパケット（Compressed IP packet）、LLSパケット（Link layer Signaling packet）、拡張パケット（Packet Type Extension）、およびMPEG2-TS方式のTSパケット（MPEG-2 Transport Stream）の５種類のパケットが定義されている。また、タイプ情報は、３ビットの情報とされている。
【０３３９】
３ビットのタイプ情報を、２ビットの情報とし、残りの１ビットをエラーインジケータとして用いるようにする。タイプ情報を２ビットの情報とした場合、４種類のパケットを定義することができる。しかしながら、図４２を参照して説明したタイプ情報は、５種類のパケットが定義されている。５種類のパケットのうち、使用頻度が少ないと想定されるパケットを、５種類のパケットから除外し、４種類のパケットとする。
【０３４０】
例えば、図４３に示すようにタイプ情報を規定する。図４３のＡに示したタイプ情報に基づくと、ペイロードにIPv4のIPパケット（IPv4 packet）が配置される場合、タイプ情報には、“００”が設定される。また、ペイロードに、圧縮されたIPパケット（Compressed IP packet）が配置される場合、タイプ情報には、“０１”が設定される。
【０３４１】
また、ペイロードに、拡張パケット（Packet Type Extension）が配置される場合、タイプ情報には、“１０”が設定される。さらにペイロードに、MPEG2-TS方式のTSパケット（MPEG2 Transport Stream）が配置される場合、タイプ情報には、“１１”が設定される。
【０３４２】
または、図４３のＢに示すように、タイプ情報が規定されるようにしても良い。図４３のＢに示したタイプ情報に基づくと、ペイロードにIPv4のIPパケット（IPv4 packet）が配置される場合、タイプ情報には、“００”が設定される。また、ペイロードに、圧縮されたIPパケット（Compressed IP packet）が配置される場合、タイプ情報には、“０１”が設定される。
【０３４３】
また、ペイロードに、LLSパケット(Link Layer Signaling packet)が配置される場合には、タイプ情報は、“１０”が設定される。また、ペイロードに、拡張パケット（Packet Type Extension）が配置される場合、タイプ情報には、“１１”が設定される。
【０３４４】
図４３のＡ、図４３のＢのどちらに基づいてタイプ情報が規定されても良い。
【０３４５】
IPv4のIPパケット（IPv4 packet）と圧縮されたIPパケット（Compressed IP packet）は使用頻度が高く、重要と考えられるため、除外されることなく残される。また、拡張パケット（Packet Type Extension）も、IPv4のIPパケットや圧縮されたIPパケットと同程度に重要であると考えられるため、除外されることなく残される。図４３に示したタイプ情報は、このような考えに基づき設定されたタイプ情報である。
【０３４６】
タイプ情報としては、IPv4のIPパケット、圧縮されたIPパケット、拡張パケット、またはLLSパケットのうちの４つのタイプを識別する情報とすることができる。
【０３４７】
図４３に示したタイプ情報は、一例であり、他のタイプ情報が規定されても良い。現時点では、IPv4のIPパケット、圧縮されたIPパケット、および拡張パケットは、重要度が高いため残しているが、将来、重要度に変更があった場合などには、他の規定に基づいてタイプ情報が規定されても良い。
【０３４８】
また、新たな形式のパケットを扱えるようにするために、図４３に示したタイプ情報以外のタイプ情報が規定されても良い。また、上記した実施の形態では、タイプ情報としては、IPv4のIPパケット、圧縮されたIPパケット、拡張パケット、またはLLSパケットのうちの４つのタイプを識別する情報とするとしたが、３つのタイプを識別する情報とし、１つはReservedとしておいても良い。
【０３４９】
このように、２ビットでタイプ情報が規定された場合、ＡＬＰパケットは、図４４に示すような構造となる。
【０３５０】
図４２に示したＡＬＰパケットと同じく、図４４に示したＡＬＰパケットも、ＡＬＰヘッダと、データが配置されるペイロードから構成される。図４４に示したＡＬＰパケットのＡＬＰヘッダ（ベースヘッダ）の先頭には、２ビットのタイプ情報（Packet Type）が設定される。タイプ情報には、図４３に示した規定に基づき、ＡＬＰパケットのペイロードに配置されるデータのタイプに関する情報が設定される。
【０３５１】
タイプ情報の次には１ビットのエラーインジケータ（EL）が配置される。この１ビットのエラーインジケータは、例えば、図２７に示したＴＳパケット内のパケットヘッダ内の１ビットのトランスポートエラーインジケータと同様に、ＡＬＰパケット内にエラーが発生している、または発生していないという情報を表すエラー情報として用いることができる。
【０３５２】
このように、エラーインジケータをＡＬＰヘッダに含ませることで、復調処理部４２から処理部４３にエラー情報を伝送することができる。よって、ＡＬＰパケットを扱う場合においても、エラー情報を伝送することが可能となる。
【０３５３】
次にエラー情報の出力に関わる第２の方法として、特殊シグナルでエラー発生の有無を示す方法について説明する。
【０３５４】
まず、図４５を参照し、エラーが発生していないときの各種信号について説明する。図４５に、クロック信号、シンク信号、バリッド信号、およびデータ信号の基本的な出力波形を示す。なおここで基本的な出力波形としたのは、これらの信号の波形は、上記したように、処理部４３が要求する条件を満たすように、また消費電力を低減させるなどのために、適切に変更することができるためである。
【０３５５】
クロック信号（ALP CLK）は、ＡＬＰを構成するデータの出力タイミングを表す信号である。クロック信号は、ＬレベルとＨレベルとを交互に繰り返すパルス状の信号である。
【０３５６】
シンク信号（ALP SYNC）は、ＡＬＰに含まれるパケットの先頭のタイミングを表す。シンク信号は、例えば、パケットの先頭のタイミングだけ、一時的に、Ｌ(Low)レベルからＨ(High)レベルになる。
【０３５７】
バリッド信号（ALP VALID）は、ＡＬＰにおいて、パケットが存在する区間（有効区間）を表す。バリッド信号は、例えば、有効区間で、Ｈレベルになり、有効以外の区間（無効区間）で、Ｌレベルになる。
【０３５８】
データ信号（ALP DATA）は、ＡＬＰの信号であり、ＡＬＰパケットの全てまたは一部が含まれる。パケットは、データ長（パケット長）が、例えば、３乃至６５５３９バイトのパケットである。
【０３５９】
図４５において枠Ｘで囲んだ部分を参照するに、シンク信号とバリッド信号は、同時に立っている。このように、エラーが発生していないときのＡＬＰパケットの伝送においては、シンク信号とバリッド信号は同時に立つ。
【０３６０】
図４６に、エラーが発生しているときの各種信号について説明する。エラーが発生しているときも、基本的な波形は、エラーが発生していないときと同様であるが、枠Ｙで囲んだ部分において、シンク信号とバリッド信号が同時に立たない点が異なる。
【０３６１】
すなわち、図４６の枠Ｙで囲んだ部分を参照するに、エラーが発生しているときには、特殊シグナルとして、シンク信号は立つが、バリッド信号は立たない信号とされる。このように、エラーが発生しているときのＡＬＰパケットの伝送は、シンク信号とバリッド信号が同時に立たないように制御される。
【０３６２】
このように、例えば、処理部４３(図２または図３５)は、シンク信号が立ったときに、バリッド信号も同時に立っていれば、エラーは発生していないと判定し、シンク信号が立ったときに、バリッド信号は立っていなければ、エラーが発生していると判定することができる。
【０３６３】
このように、特殊なシグナルを用いてエラー情報を伝送するようにしても良い。
【０３６４】
特殊シグナルを用いてエラー情報を伝送するようにした場合も、復調処理部４２から処理部４３にエラー情報を伝送することができる。よって、ＡＬＰパケットを扱う場合においても、エラー情報を伝送することが可能となる。
【０３６５】
また、ＡＬＰパケットが、復調処理部４２で復調され、処理部４３に出力される場合も、基本的に、復調処理部４２からはＴＬＶパケットが処理部４３に出力されるようにした場合と同じ処理で、出力に関わる処理を行うことができ、上記した実施の形態を適用することができる。
【０３６６】
＜本技術を適用したコンピュータの説明＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３６７】
図４７は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０３６８】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０３６９】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０３７０】
以上のように構成されるコンピュータでは、CPU１００１が、例えば、記憶部１００８に記憶されているプログラムを、入出力インタフェース１００５およびバス１００４を介して、RAM１００３にロードして実行することにより、上述した一連の処理が行われる。
【０３７１】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０３７２】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０３７３】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３７４】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０３７５】
さらに、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、および、１つの筐体の中に複数のモジュールが収納されている１つの装置は、いずれも、システムである。
【０３７６】
なお、本技術の実施の形態は、上述した実施の形態に限定されるものではなく、本技術の要旨を逸脱しない範囲において種々の変更が可能である。
【０３７７】
例えば、本技術は、１つの機能をネットワークを介して複数の装置で分担、共同して処理するクラウドコンピューティングの構成をとることができる。
【０３７８】
また、上述のフローチャートで説明した各ステップは、１つの装置で実行する他、複数の装置で分担して実行することができる。
【０３７９】
さらに、１つのステップに複数の処理が含まれる場合には、その１つのステップに含まれる複数の処理は、１つの装置で実行する他、複数の装置で分担して実行することができる。
【０３８０】
なお、本技術は以下のような構成もとることができる。
（１）
復調処理を行う復調処理部と、
デマックス処理を行う処理部と、
前記復調処理部と前記処理部との間に配置された、データ信号線、クロック信号線、シンク信号線、バリッド信号線と
を備え、
前記データ信号線、前記クロック信号線、前記シンク信号線、前記バリッド信号線を用いて、前記復調処理部と前記処理部との間で、可変長パケットを伝送する
信号処理装置。
（２）
前記可変長パケットは、ＩＰ（Internet Protocol）パケットである
前記（１)に記載の信号処理装置。
（３）
前記可変長パケットは、ＴＬＶ（Type Length Value）パケットである
前記（１)に記載の信号処理装置。
（４）
前記復調処理部から、前記データ信号線を介して前記処理部に伝送される前記可変長パケットは、ＴＬＶパケットの少なくとも一部である
前記（１)乃至（３）のいずれかに記載の信号処理装置。
（５）
前記可変長パケットは、ＴＬＶ、ＧＳＥ、ＧＳＥ−Ｌｉｔｅ、ＡＬＰ、またはＩＰのいずれかである
前記（１)に記載の信号処理装置。
（６）
前記データ信号線は、１乃至８本配線され、配線されている本数に応じたシリアル伝送またはパラレル伝送を行う
前記（１)乃至（５）のいずれかに記載の信号処理装置。
（７）
前記可変長パケットの伝送は、１乃至８ビットの任意のビット幅で行われる
前記（１)乃至（６）のいずれかに記載の信号処理装置。
（８）
前記クロック信号線は、クロック信号を伝送し、
前記シンク信号線は、パケットの先頭位置を表すシンク信号を伝送し、
前記バリッド信号線は、データの有効区間を表すバリッド信号を伝送する
前記（１)乃至（７）のいずれかに記載の信号処理装置。
（９）
前記処理部は、前記復調処理部からのデータを、前記クロック信号の立ち上がり、または立ち下がりでラッチする
前記（８)に記載の信号処理装置。
（１０）
前記バリッド信号は、常時、データが有効であることを示す信号とされ、
前記クロック信号は、前記データ信号線のビット幅に応じた周波数に設定されている
前記（８)または（９）に記載の信号処理装置。
（１１）
前記バリッド信号は、常時、データが有効であることを示す信号とされ、
前記クロック信号は、バイトギャップが発生しているときに発振を停止される
前記（８)または（９）に記載の信号処理装置。
（１２）
前記クロック信号は、所定の周波数で常時発振され、
前記バリッド信号は、バイトギャップが発生しているときには落とされる
前記（８)または（９）に記載の信号処理装置。
（１３）
前記クロック信号は、パケット内ギャップまたはパケット間ギャップが発生しているときには、発振を停止される
前記（８)乃至（１２）のいずれかに記載の信号処理装置。
（１４）
前記可変長パケットは、ＴＬＶパケットであり、前記ＴＬＶパケットのパケットヘッダ領域に、パケットにエラーがあるか否かを表すエラー情報が含まれている
前記（１)乃至（１３）のいずれかに記載の信号処理装置。
（１５）
前記可変長パケットは、ＴＬＶパケットであり、前記ＴＬＶパケットに含まれるパケットの種別に関する情報が書き込まれている領域に、パケットにエラーがあるか否かを表すエラー情報が含まれている
前記（１)乃至（１３）のいずれかに記載の信号処理装置。
（１６）
前記エラー情報を伝送するエラー信号線をさらに備える
前記（１４)または（１５）に記載の信号処理装置。
（１７）
前記エラー情報は、誤り訂正符号単位で伝送する、または可変長パケット単位で伝送する
前記（１４)乃至（１６）のいずれかに記載の信号処理装置。
（１８）
前記復調処理部は、ＩＳＤＢ−Ｃ規格の分割ＴＬＶパケットをＴＬＶパケットに変換し、前記処理部に伝送する
前記（１）乃至（１７）のいずれかに記載の信号処理装置。
（１９）
前記復調処理部は、Ｊ．３８２規格のＧＳＥパケットを、前記処理部に伝送する
前記（１）乃至（１７）のいずれかに記載の信号処理装置。
（２０）
前記復調処理部は、Ｊ．３８２規格のＧＳＥパケットをＴＬＶパケットに変換し、前記処理部に伝送する
前記（１）乃至（１７）のいずれかに記載の信号処理装置。
（２１）
前記復調処理部は、ＡＴＳＣ規格のＡＬＰパケットを、前記処理部に伝送する
前記（１）乃至（１７）のいずれかに記載の信号処理装置。
（２２）
前記ＡＬＰパケットのヘッダには、ペイロードに配置されるデータのタイプに関する情報として、２ビットのタイプ情報と、パケット内にエラーが発生しているか否かを表す１ビットのエラー情報が、少なくとも含まれる
前記（２１）に記載の信号処理装置。
（２３）
前記タイプ情報は、IPv4のIPパケット、圧縮されたIPパケット、LLSパケット、拡張パケット、およびMPEG2-TS方式のTSパケットの５種類のパケットのうち、４種類のパケットを識別する情報である
前記(２２)に記載の信号処理装置。
（２４）
パケット内にエラーがある場合、前記シンク信号線で伝送されるシンク信号と前記バリッド信号線で伝送されるバリッド信号は、同時に立たない
前記（２１）に記載の信号処理装置。
（２５）
復調処理を行う復調処理部と、
デマックス処理を行う処理部と、
前記復調処理部と前記処理部との間に配置された、データ信号線、クロック信号線、シンク信号線、バリッド信号線と
を備える信号処理装置の信号処理方法において、
前記データ信号線、前記クロック信号線、前記シンク信号線、前記バリッド信号線を用いて、前記復調処理部と前記処理部との間で、可変長パケットを伝送する
ステップを含む信号処理方法。
（２６）
復調処理を行う復調処理部と、
デマックス処理を行う処理部と、
前記復調処理部と前記処理部との間に配置された、データ信号線、クロック信号線、シンク信号線、バリッド信号線と
を備える信号処理装置を制御するコンピュータに、
前記データ信号線、前記クロック信号線、前記シンク信号線、前記バリッド信号線を用いて、前記復調処理部と前記処理部との間で、可変長パケットを伝送する
ステップを含む処理を実行させるためのコンピュータ読み取り可能なプログラム。
【符号の説明】
【０３８１】
１０  送信機，  １１  受信機，  １２  ネットワーク，  ３１  アンテナ，  ３２  ディスプレイ，  ４１  チューナ，  ４２  復調処理部，  ４３  処理部，  ５１  復調部，  ５２  誤り訂正部，  ５３  多重分離部，  ５４  デコーダ
【図１】
2016199603.tif 000003
【図２】
2016199603.tif 000004
【図３】
2016199603.tif 000005
【図４】
2016199603.tif 000006
【図５】
2016199603.tif 000007
【図６】
2016199603.tif 000008
【図７】
2016199603.tif 000009
【図８】
2016199603.tif 000010
【図９】
2016199603.tif 000011
【図１０】
2016199603.tif 000012
【図１１】
2016199603.tif 000013
【図１２】
2016199603.tif 000014
【図１３】
2016199603.tif 000015
【図１４】
2016199603.tif 000016
【図１５】
2016199603.tif 000017
【図１６】
2016199603.tif 000018
【図１７】
2016199603.tif 000019
【図１８】
2016199603.tif 000020
【図１９】
2016199603.tif 000021
【図２０】
2016199603.tif 000022
【図２１】
2016199603.tif 000023
【図２２】
2016199603.tif 000024
【図２３】
2016199603.tif 000025
【図２４】
2016199603.tif 000026
【図２５】
2016199603.tif 000027
【図２６】
2016199603.tif 000028
【図２７】
2016199603.tif 000029
【図２８】
2016199603.tif 000030
【図２９】
2016199603.tif 000031
【図３０】
2016199603.tif 000032
【図３１】
2016199603.tif 000033
【図３２】
2016199603.tif 000034
【図３３】
2016199603.tif 000035
【図３４】
2016199603.tif 000036
【図３５】
2016199603.tif 000037
【図３６】
2016199603.tif 000038
【図３７】
2016199603.tif 000039
【図３８】
2016199603.tif 000040
【図３９】
2016199603.tif 000041
【図４０】
2016199603.tif 000042
【図４１】
2016199603.tif 000043
【図４２】
2016199603.tif 000044
【図４３】
2016199603.tif 000045
【図４４】
2016199603.tif 000046
【図４５】
2016199603.tif 000047
【図４６】
2016199603.tif 000048
【図４７】
2016199603.tif 000049
【国際調査報告】
2016199603.tif 000050
2016199603.tif 000051
2016199603.tif 000052
2016199603.tif 000053